(57)【特許請求の範囲】
【請求項１】
外気冷房機と圧縮冷凍冷房機を有し、冷房対象空間からのリターン空気である還気を冷却して冷気にして、該冷気を前記冷房対象空間に供給する空調システムであって、
雪氷冷房機と制御装置を更に有し、
該雪氷冷房機は、
前記外気冷房機と前記圧縮冷凍冷房機が有する、外気との熱交換を行う為の各熱交換器の上流側に設けられ、雪山によって生成される冷水と外気とを熱交換させる為の第１熱交換器と、
該第１熱交換器に前記冷水を供給する為の冷水ポンプと、を有し、
前記制御装置は、
複数のモードの何れかのモードで前記外気冷房機と前記圧縮冷凍冷房機と前記雪氷冷房機を運転制御するモード制御手段と、
前記各モード間の遷移を決定・実行するモード遷移手段と、を有し、
該モード遷移手段は、前記外気冷房機を単独運転させる第１モードでは前記冷気を設定値に維持できない場合には、前記雪氷冷房機も運転させる第２モードに切換えて前記第１熱交換器に前記冷水を供給させることで、前記外気を、該第１熱交換器で該冷水によって冷却した後に前記外気冷房機と前記圧縮冷凍冷房機が有する各熱交換器を通過させることを特徴とする雪氷利用空調システム。
【請求項２】
前記制御装置の前記モード遷移手段は、
前記第２モードにより前記雪氷冷房機も運転させても前記冷気を設定値に維持できない場合には、前記圧縮冷凍冷房機も運転させる第３モードに切り替えることを特徴とする請求項１記載の雪氷利用空調システム。
【請求項３】
前記制御装置の前記モード遷移手段は、
前記モード制御手段が前記第３モードで運転中に、前記第１熱交換器で前記冷水によって冷却した後の前記外気の温度が、前記還気の温度以上となった場合には、前記圧縮冷凍冷房機を単独運転させる第４モードに切り替えることを特徴とする請求項２記載の雪氷利用空調システム。
【請求項４】
前記制御装置の前記モード遷移手段は、
前記モード制御手段が前記第４モードで運転中に、前記外気の温度が前記還気の温度未満となった場合には、前記外気冷房機と前記雪氷冷房機と前記圧縮冷凍冷房機とを運転させる前記第３モードに切り替えることを特徴とする請求項３に記載の雪氷利用空調システム。
【請求項５】
前記制御装置のモード遷移手段は、
前記モード制御手段が前記第３モードで運転中に、“雪氷冷房機運転時の間接外気冷房最大能力”が、冷房能力必要量を越えた場合には、前記第２モードに切換えることを特徴とする請求項２〜４の何れかに記載の雪氷利用空調システム。
【請求項６】
前記冷房能力必要量は、以下の（１）式によって算出し、
冷房能力必要量
＝（還気温度−給気温度）×空気比熱×空気比重×給気風量・・・（１）式
前記“雪氷冷房機運転時の間接外気冷房最大能力”は、以下の（２）式における外気温度として前記第１熱交換器の下流側における前記外気の温度の測定値を用いて該（２）式によって算出する
間接外気冷房最大能力＝（還気温度−外気温度）×顕熱交能力・・・（２）式
ことを特徴とする請求項５記載の雪氷利用空調システム。
【請求項７】
前記制御装置の前記モード遷移手段は、
前記モード制御手段が前記第２モードで運転中に、間接外気冷房最大能力が、冷房能力必要量を越えた場合には、前記第１モードに切換えることを特徴とする請求項２〜５の何れかに記載の雪氷利用空調システム。
【請求項８】
前記冷房能力必要量は、以下の（１）式によって算出し、
冷房能力必要量
＝（還気温度−給気温度）×空気比熱×空気比重×給気風量・・・（１）式
前記間接外気冷房最大能力は、以下の（２）式における外気温度として前記第１熱交換器の上流側における前記外気の温度の測定値を用いて該（２）式によって算出する
間接外気冷房最大能力＝（還気温度−外気温度）×顕熱交能力・・・（２）式
ことを特徴とする請求項７記載の雪氷利用空調システム。
【請求項９】
前記外気冷房機は、外気と第１の冷媒とを熱交換させる為の第２熱交換器と、該第１の冷媒と内気とを熱交換させる為の第３熱交換器と、該第２熱交換器と該第３熱交換器とに前記第１の冷媒を循環させる冷媒ポンプを有し、
前記圧縮冷凍冷房機は、外気と第２の冷媒とを熱交換させる為の第４熱交換器と、該第２の冷媒と内気とを熱交換させる為の第５熱交換器と、圧縮機を有し、
前記外気冷房機と前記圧縮冷凍冷房機とに共通の構成として、外気を、前記第１熱交換器、前記第２熱交換器、前記第４熱交換器の順に通過させるファンを有し、
前記第３モードには、
前記冷媒ポンプと前記冷水ポンプを所定能力一定で運転し、前記圧縮機を最低能力で運転し、前記ファンを回転数可変制御するモードＢ１と、
前記ファンを最大能力一定で運転し、前記冷水ポンプを所定能力一定で運転し、前記圧縮機を最低能力で運転し、前記冷媒ポンプを回転数可変制御するモードＢ２と、が含まれ、
該第３モード中には、前記モードＢ１と前記モードＢ２との間で相互にモード遷移でき、
前記第２モードから前記第３モードに移行する場合には、前記第２モードから前記モードＢ２に移行するものであり、
前記第３モードから前記第２モードに移行する場合には、前記モードＢ１から前記第２モードに移行するものであり、前記モードＢ２から前記第２モードに移行することはできないことを特徴とする請求項２〜８の何れかに記載の雪氷利用空調システム。
【請求項１０】
前記制御装置の前記モード遷移手段は、前記モードＢ１中に前記ファンの回転数を最低にしても所定の条件を満たさない場合には、前記第２モードに切換えて、該モード切換えに伴って前記圧縮機の運転を停止することを特徴とする請求項９記載の雪氷利用空調システム。
【請求項１１】
前記制御装置は、前記第２モードで運転中に、前記ファンの回転数を最大にしても所定の条件を満たさない場合には、前記モードＢ２に切換えて、このモード切換えに伴って前記圧縮機を運転開始することを特徴とする請求項９または１０に記載の雪氷利用空調システム。
【請求項１２】
前記制御装置の前記モード制御手段は、前記複数のモードの何れかのモードで前記外気冷房機と前記圧縮冷凍冷房機と前記雪氷冷房機を運転制御する代わりに、複数のモードの何れかのモードで前記外気冷房機と前記圧縮冷凍冷房機を運転制御し、
前記雪氷冷房機を運転制御する上位装置を更に備え、
前記制御装置の前記モード遷移手段は、任意の前記モード間の遷移を決定・実行する毎に、該モード遷移を前記上位装置に通知し、
前記上位装置は、該通知に応じて前記雪氷冷房機の起動／停止を制御することを特徴とする請求項１記載の雪氷利用空調システム。
【請求項１３】
外気冷房機と圧縮冷凍冷房機と制御装置を有するハイブリッド型空調装置を複数備え、各ハイブリッド型空調装置に、対応する冷房対象空間からのリターン空気である還気を冷却して冷気にして、該冷気を前記対応する冷房対象空間に供給する空調システムであって、
雪氷冷房機と上位装置を更に有し、
該雪氷冷房機は、
前記各ハイブリッド型空調装置に対応して複数設けられる熱交換器であって、前記各ハイブリッド型空調装置が有する外気との熱交換を行う為の熱交換器の上流側に設けられ、雪山によって生成される冷水と外気とを熱交換させる為の複数の第１熱交換器と、
該各第１熱交換器に前記冷水を供給する為の冷水ポンプと、を有し、
前記制御装置は、
複数のモードの何れかのモードで前記外気冷房機と前記圧縮冷凍冷房機と前記雪氷冷房機を運転制御するモード制御手段と、
前記各モード間の遷移を決定・実行するモード遷移手段と、を有し、
前記制御装置の前記モード遷移手段は、任意の前記モード間の遷移を決定・実行する毎に、該モード遷移を前記上位装置に通知し、
前記上位装置は、該通知に応じて前記雪氷冷房機の起動／停止を制御することを特徴とする雪氷利用空調システム。
【請求項１４】
前記各制御装置の前記モード遷移手段は、
前記外気冷房機を単独運転させる第１モードでは前記冷気を設定値に維持できない場合には、前記雪氷冷房機も運転させる第２モードに切換えて、該モード切換えを前記上位装置に通知し、
前記上位装置は、
前記複数のハイブリッド型空調装置の何れか一台の前記制御装置から、前記第１モードから第２モードへ切換えの通知があった場合、前記冷水ポンプを起動して前記各第１熱交換器に前記冷水を供給させることで、前記外気を、該各第１熱交換器で該冷水によって冷却した後に前記各熱交換器を通過させることを特徴とする請求項１３記載の雪氷利用空調システム。
【請求項１５】
外気冷房機と圧縮冷凍冷房機と雪氷冷房機と制御装置を有し、該雪氷冷房機が、前記外気冷房機と前記圧縮冷凍冷房機が有する、外気との熱交換を行う為の各熱交換器の上流側に設けられ、雪山によって生成される冷水と外気とを熱交換させる為の第１熱交換器を有し、冷房対象空間からのリターン空気である還気を冷却して冷気にして、該冷気を前記冷房対象空間に供給する空調システムにおける該制御装置であって、
複数のモードの何れかのモードで前記外気冷房機と前記圧縮冷凍冷房機と前記雪氷冷房機を運転制御するモード制御手段と、
前記各モード間の遷移を決定・実行するモード遷移手段と、を有し、
該モード遷移手段は、前記外気冷房機を単独運転させる第１モードでは前記冷気を設定値に維持できない場合には、前記雪氷冷房機も運転させる第２モードに切換えて前記第１熱交換器に前記冷水を供給させることで、前記外気を、該第１熱交換器で該冷水によって冷却した後に前記外気冷房機と前記圧縮冷凍冷房機が有する各熱交換器を通過させることを特徴とする制御装置。
【請求項１６】
前記モード遷移手段は、
前記第２モードにより前記雪氷冷房機も運転させても前記冷気を設定値に維持できない場合には、前記圧縮冷凍冷房機も運転させる第３モードに切り替えることを特徴とする請求項１５記載の制御装置。
【発明の詳細な説明】
【技術分野】
【０００１】
本発明は、雪氷を冷熱源とする空調機を利用する空調システムに関する。
【背景技術】
【０００２】
例えば、特許文献１に記載の従来技術が知られている。
特許文献１には、雪氷を冷熱源とする空調システムについて記載されている。すなわち、冬季に雪貯蔵部に雪を積み上げることにより、夏季や中間期（春季や秋季）に雪の冷熱を冷房に利用できるようにした空調システムが開示されている。この空調システムの構成は、例えば雪貯蔵部の雪の雪解け水である雪冷水を貯める雪冷水槽と、この雪冷水を雪冷水熱交換器等に循環させる雪冷水ポンプＰ２や雪冷水循環流路等を備える。更に、冷却コイルと、この冷却コイルに冷熱媒を供給する冷熱供給手段を有する。冷熱媒は、上記雪冷水熱交換器によって、雪冷水と熱交換する構成となっている。上記冷却コイルを通過した空気（給気ＳＡ）は、空調対象室に供給される。
【０００３】
上記冷却コイルには、例えば、外気ＯＡと還気ＲＡとを混合した混合気ＭＡが通過する。冷却コイルによる冷却は、例えば、外気採り入れ等では上記給気ＳＡが目標温度に達しない場合に、行われるものである。あるいは、上記ＯＡと雪冷外気ＳＯＡとを切り換えて外気ファンにより吸引し得るようにする構成等も、設けられている。
【０００４】
また、本出願人によって特許文献２に記載の発明が提案されている。
特許文献２の発明では、間接外気冷房機としての構成と一般空調機としての構成とが一体となった一体型空調システムを提案している。一般空調機とは、例えば、蒸発器や圧縮機などを有する、一般的な圧縮式冷凍サイクルによる空調機である。この様な空調機を、圧縮冷凍冷房機または一般空調機と呼ぶものとする。
【０００５】
間接外気冷房機は、一般空調機よりも省エネであるが、外気の温度が高い場合には、冷房能力が落ち、機能しなくなる場合もある。これより、特許文献２の発明では、上記一体型空調システムの適切な制御を提案している。
【先行技術文献】
【特許文献】
【０００６】
【特許文献１】特開２０１２−１４５２８９号公報
【特許文献２】WO2013125650 A1
【発明の概要】
【発明が解決しようとする課題】
【０００７】
例えば上記特許文献２の発明の構成に対して、雪氷を冷熱源とする空調機を組み合わせることは、想到されていない。
また、この様な組み合わせにおいて、より効率の良い運用を行って高い省エネ効果が得られるような制御を実現することが望まれる。
【０００８】
本発明の課題は、外気利用冷房機と圧縮冷凍冷房機とを備えるハイブリッド型空調システムに対して、雪山より生成される冷水を利用する雪氷冷房機を組み合わせて、より効率が高い空調システムである雪氷利用空調システム等を提供することである。
【課題を解決するための手段】
【０００９】
本発明の雪氷利用空調システムは、外気冷房機と圧縮冷凍冷房機を有し、冷房対象空間からのリターン空気である還気を冷却して冷気にして、該冷気を前記冷房対象空間に供給する空調システムであって、以下の各構成を有する。
【００１０】
まず、雪氷冷房機と制御装置を更に有する。
該雪氷冷房機は、前記外気冷房機と前記圧縮冷凍冷房機が有する、外気との熱交換を行う為の各熱交換器の上流側に設けられ、雪山によって生成される冷水と外気とを熱交換させる為の第１熱交換器と、該第１熱交換器に前記冷水を供給する為の冷水ポンプとを有する。
【００１１】
前記制御装置は、複数のモードの何れかのモードで前記外気冷房機と前記圧縮冷凍冷房機と前記雪氷冷房機を運転制御するモード制御手段と、前記各モード間の遷移を決定・実行するモード遷移手段とを有する。
【００１２】
そして、該モード遷移手段は、前記外気冷房機を単独運転させる第１モードでは前記冷気を設定値に維持できない場合には、前記雪氷冷房機も運転させる第２モードに切換えて前記第１熱交換器に前記冷水を供給させることで、前記外気を、該第１熱交換器で該冷水によって冷却した後に前記外気冷房機と前記圧縮冷凍冷房機が有する各熱交換器を通過させる。
【発明の効果】
【００１３】
本発明の雪氷利用空調システムは、外気利用冷房機と圧縮冷凍冷房機とを備えるハイブリッド型空調システムに対して、雪山より生成される冷水を利用する雪氷冷房機を組み合わせて、より効率が高い空調システムを実現できる。
【図面の簡単な説明】
【００１４】
【図１】本例の雪氷利用空調システムの構成図である。
【図２】本例の制御装置の機能ブロック図である。
【図３】図１の空調システムの運用方法示す模式図である。
【図４】図３との比較の為に、従来の空調システムの運用方法示す模式図である。
【図５】実施例１のモード遷移を示す図である。
【図６】実施例１の各モードにおける制御内容を示す図である。
【図７】実施例１に係わるモード遷移表（１／３）である。
【図８】実施例１に係わるモード遷移表（２／３）である。
【図９】実施例１に係わるモード遷移表（３／３）である。
【図１０】（ａ）〜（ｃ）は、Ｂ１、Ｂ２モードについて説明する為の図である。
【図１１】実施例２のモード遷移を示す図である。
【図１２】実施例２の各モードにおける制御内容を示す図である。
【図１３】実施例２に係わるモード遷移表（１／２）である。
【図１４】実施例２に係わるモード遷移表（２／２）である。
【図１５】実施例３のモード遷移を示す図である。
【図１６】実施例３の各モードにおける制御内容を示す図である。
【図１７】実施例３に係わるモード遷移表（１／２）である。
【図１８】実施例３に係わるモード遷移表（２／２）である
【図１９】実施例４のモード遷移を示す図である。
【図２０】実施例４の各モードにおける制御内容を示す図である。
【図２１】実施例４に係わるモード遷移表（１／２）である。
【図２２】実施例４に係わるモード遷移表（２／２）である。
【図２３】上位システムがある構成例である。
【発明を実施するための形態】
【００１５】
以下、図面を参照して本発明の実施の形態について説明する。
図１は、本例の雪氷利用空調システムの構成図である。
尚、この例は、上記特許文献２の構成に基づいて、雪氷を冷熱源として利用する構成を追加した例であるが、これは一例であり、この例に限らない。
【００１６】
図１に示す構成において、まず、上記特許文献２の構成に相当する部分について説明する。上記のように、特許文献２の空調システムは、間接外気利用冷房機と圧縮冷凍冷房機（一般冷房機）とを備えるハイブリッド型の空調システムである。
【００１７】
図１には特に示していないが、図示の内気ユニット１０は不図示の建物内に設けられており、外気ユニット２０は建物外に設けられている。また、建物内には、不図示の冷却対象空間が存在している。冷却対象空間は例えばデータセンタ、サーバルーム等であるが、この例に限らない。
【００１８】
間接外気利用冷房機としての構成は、図示の顕熱交換器１１、顕熱交換器２１、ポンプ２２、冷媒管２３等である。また、上記圧縮冷凍冷房機（一般冷房機）としての構成は、図示の蒸発器１２、圧縮機２４、凝縮器２５、膨張弁２６、冷媒管２７等である。更に、間接外気利用冷房機と圧縮冷凍冷房機に共通の構成として、図示の内気ファン１３、外気ファン２８が設けられている。
【００１９】
内気ユニット１０内には、上記顕熱交換器１１と蒸発器１２と内気ファン１３が設けられている。外気ユニット２０内には、上記顕熱交換器２１、ポンプ２２、圧縮機２４、凝縮器２５、膨張弁２６、外気ファン２８が設けられている。但し、これは一例であり、ポンプ２２、圧縮機２４、膨張弁２６は、内気ユニット１０内に設けられていてもよいし、ユニット１０、２０の外に設けられていても良い。
【００２０】
また、上記冷媒管２３は、顕熱交換器１１と顕熱交換器２１に接続されており、これら２つの顕熱交換器に冷媒（冷却水等）を循環させる為の配管である。冷媒管２３上の任意の位置に上記ポンプ２２が設けられており、このポンプ２２によって上記冷媒を循環させることになる。尚、これより、ポンプ２２が停止しているときには、間接外気利用冷房機は運転停止していることになる。
【００２１】
また、上記冷媒管２７は、蒸発器１２、圧縮機２４、凝縮器２５、膨張弁２６に接続されており、これらに冷媒を循環させる為の配管である。
内気ファン１３によって、図示の還気ＲＡを内気ユニット１０内に取り入れて、顕熱交換器１１と蒸発器１２を通過させて、これによって還気ＲＡを冷却して冷気にして、この冷気を図示の給気ＳＡとして排出する。給気ＳＡは、不図示の冷却対象空間へ供給され、例えばサーバ装置等の発熱体を冷却し、これによって温度上昇して暖気となる。この暖気が上記還気ＲＡとして内気ユニット１０内に取り込まれることになる。
【００２２】
尚、還気ＲＡは、不図示の空調対象空間からのリターン空気である。還気ＲＡは、顕熱交換器１１、蒸発器１２を通過することで基本的には冷却されて冷気となって、この冷気が上記給気ＳＡとして上記空調対象空間に供給される。
【００２３】
上記空調対象空間は、例えば一例としは、サーバルーム、データセンタなどであり、稼動中は発熱体となるコンピュータ装置等の電子機器が、多数設置されている空間である。この空調対象空間に供給された上記冷気（給気ＳＡ）は、コンピュータ装置等を冷却し、それによって温度上昇して暖気となる。この暖気が上記還気ＲＡとして内気ユニット１０内に吸い込まれることになる。
【００２４】
また、外気ファン２８によって、屋外の外気ＯＡを外気ユニット２０内に取り入れて、顕熱交換器２１と凝縮器２５を通過させて、排気ＥＡとしてユニット外に排出する。
外気ＯＡは上記顕熱交換器２１において上記冷媒と熱交換される。冬季など外気の温度が比較的低い環境下では、外気ＯＡによって冷媒が冷却されることになる。この冷媒は、顕熱交換器１１に供給されて、顕熱交換器１１において上記還気ＲＡと熱交換され、基本的には還気ＲＡを冷却して温度低下させることになる。勿論、それによって冷媒は温度上昇し、再び上記顕熱交換器２１において外気ＯＡによって冷却されることになる。
【００２５】
この様に、間接外気利用冷房機は、冷媒を介して間接的に、還気ＲＡと外気ＯＡとの熱交換を実現するものであって、基本的に外気ＯＡよって還気ＲＡを冷却させる。
そして、顕熱交換器１１によって冷却された還気ＲＡは、その後に蒸発器１２を通過することで更に冷却されて、上記給気ＳＡとして送出されることになる。尚、基本的には給気ＳＡの温度が設定温度となるように制御されるが、この制御自体は既存技術であり、ここでは特に説明しない。
【００２６】
上記蒸発器１２において還気ＲＡと熱交換された冷媒は、圧縮機２４において圧縮された後、凝縮器２５において上記顕熱交換器２１を通過後の外気ＯＡと熱交換されて基本的には冷却されることになる。その後、この冷媒は、膨張弁２６を通過し、再び蒸発器１２に供給されることになる。この動作自体は、既存の一般的な技術に過ぎないので、これ以上は説明しないものとする。
【００２７】
上記ハイブリッド型空調システムにおいて、外気温（外気ＯＡの温度）が高い場合には、ポンプ２２を停止することで間接外気利用冷房機を運転停止させ、圧縮冷凍冷房機（一般冷房機）の単独運転とする場合もある。その逆に、外気温が低い場合には、圧縮冷凍冷房機を停止させて、間接外気利用冷房機の単独運転モードとする場合もある。勿論、間接外気利用冷房機と圧縮冷凍冷房機とを併用運転する場合もある。これらについては、特許文献２に開示されているので、ここではこれ以上詳細には説明しない。
【００２８】
そして、図１は、本例の雪氷利用空調システムは、上述した従来のハイブリッド型空調システムの構成に対して、雪氷冷房機が図示のように組み合わされている。
図示の例では、雪氷冷房機は、冷水コイル３１、冷水ポンプ３２、冷水管３３等から成る。冷水が、冷水ポンプ３２によって冷水管３３内を循環する形で冷水コイル３１に供給される。冷水コイル３１の設置位置は、図示のように、上記顕熱交換器２１より上流側（外気ＯＡの流れの上流側）となっている。例えば、上記ハイブリッド型空調システムの外気ユニット２０の外気取入部（不図示）付近に、雪氷を冷熱源とする冷水が供給される冷水コイル３１が、設置される。これより、雪氷冷房機を運転中には、外気ＯＡは、まず、冷水コイル３１を通過することで上記冷水によって冷却されて温度低下した後、顕熱交換器２１と凝縮器２５を通過することになる。
【００２９】
雪氷冷房機は、冬季や春季等に不図示の雪貯蔵部に構築された雪山から、上記冷水を生成して、この冷水を冷房に利用するものである。図１では、その一例として、上記のように冷水によって外気ＯＡを冷却して顕熱交換器２１等に供給する構成とすることで、外気ＯＡの温度が高い状況であっても間接外気利用冷房機を機能させることができる。勿論、これには限界があり、外気温がある程度以上高くなると、圧縮冷凍冷房機を運転する必要が生じることになる。
【００３０】
また、本例の雪氷利用空調システムには、各所に各種センサが設置されている。図示の例では、給気温度センサ１４、還気温度センサ１５、外気温度センサ２９、外気温度センサ３４等が設置されるが、これらの例に限らない。不図示の他のセンサが更に設けられていても構わない。
【００３１】
給気温度センサ１４は、上記給気ＳＡの温度を測定する為の温度センサである。還気温度センサ１５は、上記還気ＲＡの温度を測定する為の温度センサであり、例えば上記内気ユニット１０の還気取入口（不図示）付近に設置されている。
【００３２】
外気温度センサ２９は、外気ＯＡの温度を測定する為の温度センサであり、上述した従来のハイブリッド型空調システムで既設の温度センサであり、この為、例えば顕熱交換器２１付近（上流側）に設置されている。つまり、顕熱交換器２１に流入前の外気ＯＡの温度を計測している。
【００３３】
一方、外気温度センサ３４は、同じく外気ＯＡの温度を計測する為の温度センサであるが、設置場所は冷水コイル３１付近（上流側）である。つまり、冷水コイル３１に流入前の外気ＯＡの温度を計測している。
【００３４】
すなわち、外気温度センサ３４が常に本来の外気ＯＡの温度を計測するのに対して、外気温度センサ２９は、雪氷冷房機を運転中には冷水コイル３１で冷却後の外気ＯＡの温度を計測することになる。
【００３５】
また、本例の雪氷利用空調システムは、更に制御装置４０を有する。
制御装置４０は、本例の雪氷利用空調システムを制御する装置であり、不図示のＣＰＵ／ＭＰＵ等の演算プロセッサやメモリ等の記憶部、入出力インタフェース等を有している。上記不図示の記憶部には、予め所定のアプリケーションプログラムが記憶されており、上記不図示の演算プロセッサが、このアプリケーションプログラムを実行することで、例えば、後述する図２に示す各種処理機能部や図３〜図２３で説明する各種制御を実現する処理が実行される。
【００３６】
制御装置４０は、不図示の信号線を介して、上記各種温度センサ１４，１５，２９，３４の計測データを入力する。また、制御装置４０は、不図示の信号線を介して、内気ファン１３、外気ファン２８、ポンプ２２、圧縮機２４、冷水ポンプ３２の起動／停止制御や回転数の制御等を実行する。
【００３７】
制御装置４０による雪氷利用空調システム制御処理の具体例として、後述する実施例１、実施例２、実施例３、実施例４を提案する。
図２は、本例の制御装置４０の機能ブロック図である。
【００３８】
まず、本例の雪氷利用空調システムは、間接外気冷房機と圧縮冷凍冷房機を有し、冷房対象空間からのリターン空気である還気ＲＡを冷却して冷気にして、該冷気を給気ＳＡとして冷房対象空間に供給する空調システムであって、雪氷冷房機と制御装置４０を更に有するものである。
【００３９】
尚、一般に、同じ冷房能力に対してその消費電力は、間接外気冷房機、雪氷冷房機、圧縮冷凍冷房機の順に大きくなる。つまり、圧縮冷凍冷房機が最も消費電力が大きい。よって、圧縮冷凍冷房機は出来るだけ運転しないようにすることが、省エネの観点からは望ましいことになる。
【００４０】
上記図１の例では、上記雪氷冷房機は、上記間接外気冷房機と圧縮冷凍冷房機が有する、外気との熱交換を行う為の各熱交換器の上流側に設けられ、雪山によって生成される冷水と外気とを熱交換させる為の熱交換器である上記冷水コイル３１を有する。上記間接外気冷房機と圧縮冷凍冷房機が有する、外気との熱交換を行う為の各熱交換器とは、図１の構成では、上記顕熱交換器２１、凝縮器２５である。また、上流側とは、外気ＯＡの空気の流れの上流側を意味する。よって、外気ＯＡは、冷水コイル３１を通過した後に、顕熱交換器２１、凝縮器２５を通過することになる。
【００４１】
上記雪氷冷房機は、更に、上記冷水コイル３１に冷水を供給する為の冷水ポンプ３２を有する。
そして、上記制御装置４０は、例えば図２に示す例のように、モード制御部４１、モード遷移部４２を有する。
【００４２】
モード制御部４１は、複数のモードの何れかのモードで間接外気冷房機と圧縮冷凍冷房機と雪氷冷房機を運転制御する。
モード遷移部４２は、各モード間の遷移を決定・実行する。
【００４３】
モード遷移部４２は、例えば、間接外気冷房機を単独運転させる第１モードでは上記冷気（給気ＳＡ）を設定値に維持できない場合には、雪氷冷房機も運転させる第２モードに切換えて冷水コイル３１に冷水を供給させることで、外気を冷水コイル３１で冷水によって冷却した後に間接外気冷房機と圧縮冷凍冷房機が有する上記各熱交換器を通過させる。
【００４４】
上記第１モードの一例が後述するモード（１）であり、上記第２モードの一例が後述するモード（２）やモードＳ等である。
また、モード遷移部４２は、例えば、上記第２モードにより雪氷冷房機も運転させても冷気を設定値に維持できない場合には、圧縮冷凍冷房機も運転させる第３モードに切り替える。
【００４５】
上記第３モードの一例が、後述するモード（３）である。
また、モード遷移部４２は、例えば、モード制御部４１が上記第３モードで運転中に、上記冷水コイル３１で冷水によって冷却した後の外気ＯＡの温度が、還気ＲＡの温度以上となった場合には、圧縮冷凍冷房機を単独運転させる第４モードに切り替える。
【００４６】
上記第４モードの一例が、後述するモード（４）やモードＤである。
また、モード遷移部４２は、例えば、モード制御部４１が第４モードで運転中に、外気の温度が還気の温度未満となった場合には、間接外気冷房機と圧縮冷凍冷房機と圧縮冷凍冷房機とを運転させるモードである上記第３モードに切り替える。
【００４７】
また、モード遷移部４２は、例えば、モード制御部４１が第３モードで運転中に、“雪氷冷房機運転時の間接外気冷房最大能力”が、冷房能力必要量を越えた場合には、第２モードに切換える。
【００４８】
上記冷房能力必要量は、例えば後述する（２）式により算出する。
上記“雪氷冷房機運転時の間接外気冷房最大能力”は、例えば後述する（１）式により算出するが、その際、（１）式における“外気温度”として上記冷水コイル３１の下流側における外気温度測定値を用いる。例えば、外気温度センサ２９の測定値を用いる。
【００４９】
また、モード遷移部４２は、例えば、モード制御部４１が第２モードで運転中に、間接外気冷房最大能力が、冷房能力必要量を越えた場合には、第１モードに切換える。
上記冷房能力必要量は、例えば後述する（２）式により算出する。
【００５０】
上記間接外気冷房最大能力は、例えば後述する（１）式により算出するが、その際、（１）式における“外気温度”として上記冷水コイル３１の上流側における外気温度測定値を用いる。例えば、外気温度センサ３４の測定値を用いる。
【００５１】
また、上記各モードとして後述する図５、図６に示す各種モードを用いる例の場合において、その後述するモードＢ１、モードＢ２とモードＳ（第２モード）間のモード遷移は、例えば下記のようにしてもよい。
【００５２】
すなわち、モード遷移部４２は、例えば、モードＢ１中に外気ファン２８の回転数を最低にしても所定の条件を満たさない場合には、モードＳ（第２モード）に切換えて、該モード切換えに伴って圧縮機２４の運転を停止する。
【００５３】
あるいは、モード遷移部４２は、例えば、モードＳ（第２モード）で運転中に、外気ファン２８の回転数を最大にしても所定の条件を満たさない場合には、モードＢ２に切換えて、このモード切換えに伴って圧縮機２４を運転開始する。
【００５４】
また、後述する上位システム５０（上位装置）を更に備えるようにしてもよい。
この例の場合、制御装置４０のモード制御部４１は、複数のモードの何れかのモードで間接外気冷房機と圧縮冷凍冷房機と雪氷冷房機を運転制御する代わりに、複数のモードの何れかのモードで間接外気冷房機と圧縮冷凍冷房機を運転制御する。
【００５５】
そして、上位装置が、雪氷冷房機を運転制御する。
この例の場合、制御装置４０のモード遷移部４２は、例えば、任意のモード間の遷移を決定・実行する毎に、該モード遷移を上位装置に通知する。上位装置は、該通知に応じて雪氷冷房機の起動／停止を制御する。
【００５６】
また、後述するように複数の制御装置４０がある構成の場合、上位装置は、これら複数の制御装置４０からの上記通知に基づいて、雪氷冷房機の起動／停止を制御するが、この制御例については後述するものとする。
【００５７】
上記構成の本例の空調システムの運用方法（制御装置４０による制御処理）について、以下に説明する。
ここで、図３は、図１の空調システムの運用方法を、概略的に示す図である。尚、詳細な制御方法の一例は、図５以降の各図面を用いて後に説明するものとする。ここでは、まず、図３を用いて、概略的に説明するものとする。
【００５８】
ここで、まず、図３に示すグラフは、横軸が“外気温度−還気温度”である。この外気温度は、図１に示す外気温度センサ３４で測定される、本来の外気ＯＡの温度である。また、還気温度は、図１に示す還気温度センサ１５で測定される、還気ＲＡの温度である。尚、還気温度が一定であるとした場合には、上記“外気温度−還気温度”の変化は実質的に“外気温度”の変化と見做してもよいと考えられる。これより、以下の説明では、横軸は“外気温度”であるものとして説明する。
【００５９】
また、図３に示すグラフの縦軸は、冷房能力である。そして、図上点線で示すものは、横軸（外気温度）に応じた上記間接外気冷房機の冷房能力である。この点線で示すように、外気温度が低いほど、間接外気冷房機の冷房能力は高くなる。ここで、上記給気ＳＡの温度を設定温度とする為に必要となる冷房能力が、図示の必要冷房能力である。
【００６０】
そして、図２に点線で示す通り、外気温度がある程度低い状況では、間接外気冷房機の冷房能力は、必要冷房能力より大きい。よって、この状況では、間接外気冷房機を単独で運転するモード（図示の（１）外気冷房；以下、モード（１）と記す）とする。このモード（１）では、雪氷冷房機と圧縮冷凍冷房機（一般冷房機）は、運転停止することになる。具体的な制御例は、例えば図５、図６等に示してあり、後に説明するものとする。
【００６１】
また、外気温度がある程度高くなると、図３に点線で示すように、間接外気冷房機の冷房能力が、必要冷房能力より小さくなる。この状況では、雪氷冷房機を運転するモード（図示の“（２）雪氷冷房”）とすることで、冷房能力の不足分を補うようにする。
【００６２】
尚、図１の構成例の場合には、“（２）雪氷冷房”（モード（２））では、間接外気冷房機と雪氷冷房機とを併用運転することになる。図１の構成の場合には、冷水コイル３１を外気ＯＡに対応して設けており、雪氷冷房機を運転中には顕熱交換器２１に流入する外気ＯＡの温度を、本来の外気ＯＡの温度よりも低くさせるものである。換言すれば、雪氷冷房機によって、間接外気冷房機の冷房能力をアップ（底上げ）するものと見做しても良い。この為、図１の構成例の場合には、雪氷冷房機を運転するときには、間接外気冷房機も運転させる。
【００６３】
ここで、本例では、雪氷冷房機の冷房能力は、一定であるものとする。これより、モード（２）及び後述するモード（３）で運用中には、「雪氷冷房機＋間接外気冷房機」の冷房能力は、図３で一点鎖線で示す通りとなる。
【００６４】
図示の通り、一点鎖線は、点線で示す間接外気冷房機の冷房能力に、雪氷冷房機による一定の冷房能力が加わったものとなる。これは、例えば、本来の外気ＯＡの温度を、冷水コイル３１によって温度低下することで実現するものである。例えば、仮に冷水コイル３１が５℃の温度低下を実現するとした場合、本来の外気温度が仮に２４℃であれば１９℃にして顕熱交換器２１に供給でき、２７℃であれば２２℃にして顕熱交換器２１に供給できる。
【００６５】
これより、点線で示す冷房能力が必要冷房能力未満となっても、ある程度までは、一定の冷房能力が加算されることで、一点鎖線で示す冷房能力は必要冷房能力以上となる。
一点鎖線で示す「雪氷冷房機＋間接外気冷房機」の冷房能力が、必要冷房能力以上である間は、外気温が上昇しても後述するモード（３）に移行する必要はない。しかしながら、外気温が更に上昇すると、何れは一点鎖線で示す冷房能力が必要冷房能力未満となる。
【００６６】
一点鎖線で示す「雪氷冷房機＋間接外気冷房機」の冷房能力が、必要冷房能力未満となったら、圧縮冷凍冷房機（一般冷房機）も運転する必要がある。つまり、図示の“（３）雪氷冷房＋冷凍冷房（併用運転）”モード（モード（３））に、移行する必要がある。尚、モード（３）は、図１の構成例の場合には、実質的には、雪氷冷房機と間接外気冷房機と圧縮冷凍冷房機の併用運転となる。
【００６７】
上記モード（３）では、基本的には、「雪氷冷房機＋間接外気冷房機」の冷房能力では不足する分、すなわち「必要冷房能力と、一点鎖線で示す冷房能力との差分」を、圧縮冷凍冷房機で補うように、圧縮冷凍冷房機の運転制御を行う。但し、圧縮冷凍冷房機は、一定の冷房能力以上でしか運転できないので、図示の“最低冷凍能力”以上の冷房能力が、一点鎖線で示す冷房能力に追加されることになる。この為、図示の一点鎖線で示す冷房能力に“最低冷凍能力”を加えると、全体の冷房能力が、必要冷房能力より大きくなる場合もあるが、間接外気冷房機の冷房能力を下げることができれば対応可能となる。
【００６８】
上記モード（３）において、外気温がある程度上昇すると、図示の点線で示す間接外気冷房機の冷房能力が、‘０’となる。ここでは、当該‘０’となる意味は、例えば本来の外気ＯＡの温度（外気温度センサ３４で計測される温度）が、還気ＲＡの温度と同じとなることを意味する。よって、従来の構成の場合であれば、これ以上外気温が高い領域では、間接外気冷房機を運転すると逆効果となる為、間接外気冷房機を停止していた。
【００６９】
しかし、本構成の場合、仮に還気ＲＡの温度が２５℃であり、本来の外気温度が２６℃であっても、上記一例では雪氷冷房機によって−５℃温度低下するので、間接外気冷房機に供給させる外気ＯＡの温度は、２１℃となる。つまり、点線で示す冷房能力がマイナスになっても、一点鎖線で示す冷房能力はプラスであるので、モード（３）を続行する。
【００７０】
しかし、更に外気温が上昇すれば、何れは一点鎖線で示す冷房能力は‘０’になる。つまり、冷水コイル３１で冷却後の外気ＯＡの温度（外気温度センサ２９の計測値）が、還気ＲＡの温度と同じとなる。冷水コイル３１で冷却後の外気温度が、これ以上大きくなれば、一点鎖線で示す冷房能力が‘０’未満（マイナス）となる。一点鎖線で示す冷房能力が‘０’未満（マイナス）となったら、間接外気冷房機を運転する意味がないので、停止する。これに伴って、雪氷冷房機も停止するようにしてもよい。これによって、圧縮冷凍冷房機の単独運転モード（図示の“（４）冷凍冷房”；モード（４））となる。
【００７１】
ここで、図３との比較の為に、従来の構成における模式図を図４に示す。
図４に示す従来の場合、上記モード（１）とモード（４）はあるが、上記モード（２）とモード（３）は無く、代わりに図示の“外気冷房＋冷凍冷房（併用運転）”モード（モード（５））がある。モード（５）は、間接外気冷房機と圧縮冷凍冷房機を併用運転するモードである。
【００７２】
図４の場合、比較的、外気温度が低い状態では、図３と同様、間接外気冷房機の単独運転モードである上記モード（１）で運転する。この状態から、外気温度が上昇して、間接外気冷房機だけでは必要冷房能力が得られない状況になったら、圧縮冷凍冷房機を運転開始して上記モード（５）へ移行する。
【００７３】
ここで、図４においても図３と同様に、圧縮冷凍冷房機の冷房能力を図示の点線で示している。そして、図３と同様、外気温度が更に上昇していけば、何れは、点線で示す冷房能力は‘０’になる。よって、これ以上、外気温度が高い領域では、間接外気冷房機を運転する意味がないことになる。つまり、この状況で間接外気冷房機を運転すると、外気によって還気を温度低下させるどころか、逆に、外気によって還気を温度上昇させることになり、つまり逆効果となる。よって、この様な状況になったら、圧縮冷凍冷房機を単独運転させるモードである上記モード（４）に移行する。
【００７４】
図３と図４を比較すれば明らかなように、図４の従来の場合、図３に示す本手法に比べて、より外気温が低い状態から、圧縮冷凍冷房機を運転させることになる。更に、図４の従来の場合、図３に示す本手法に比べて、より外気温が低い状態から、圧縮冷凍冷房機を単独運転させることになる。圧縮冷凍冷房機が最も電力消費量が大きいのであるから、本手法の方が省エネ効果が高いことは明らかである。
【００７５】
上記制御装置４０による空調システムの制御方法について、以下、一例を説明する。
（ａ）外気温が低く、間接外気冷房機だけで給気温度を設定温度に維持することができる間は、上記モード（１）とする。モード（１）中は、外気ファン２８やポンプ２２の回転数を制御すること等で、給気温度を設定値に維持する。
【００７６】
（ｂ）モード（１）で運転中に、外気温が高くなり、間接外気冷房機の最大能力で運転しても給気温度を設定温度に維持できない場合は、モード（２）へ移行し、冷水コイル３１に冷水を供給することで顕熱交換器２１に供給される外気温度を下げる。
【００７７】
（ｃ）さらに外気温が高くなり、モード（２）のように雪氷冷房機を運転しても給気温度を設定温度に維持出来なくなった場合には、圧縮冷凍冷房機も運転する。この時、冷水コイル３１への冷水供給は止めない。たとえばこのようにして、モード（２）からモード（３）に移行する。
【００７８】
（ｄ）モード（３）において、冷水で冷却した外気ＯＡの温度が、還気温度を超えるようになったら、間接外気冷房機のポンプ２２は停止させる。これに伴って冷水ポンプ３２も停止するようにしてもよい。例えば、このようにしてモード（３）からモード（４）に移行する。
【００７９】
（ｅ）これとは逆に、モード（４）で運転している状態で、外気温が低くなって、外気温が還気温度を下回るようなったら、間接外気冷房機のポンプ２２を運転開始する。モード（４）で冷水ポンプ３２を運転停止している場合には、これに伴って冷水ポンプ３２も運転開始する。例えばこのようにしてモード（４）からモード（３）へ移行する。
【００８０】
（ｆ）モード（３）で運転中に、外気温が低くなり、圧縮冷凍冷房機を停止しても給気温度を設定温度に維持できると判断されたら、圧縮機２４を止める。例えば、この様にしてモード（３）からモード（２）へ移行する。
【００８１】
（ｇ）モード（２）で運転中に、冷水を停止しても給気温度を設定温度に維持できると判断されたら、冷水ポンプ３２を止める。例えば、このようにして、モード（２）からモード（１）へ移行する。
【００８２】
上記本例の空調システムの制御方法について、図５、図６に示す具体例を用いて、以下、更に詳細に説明する。
図５は、実施例１のモード遷移を示す図である。
【００８３】
図６は、実施例１の各モードにおける制御内容を示す図である。
実施例１では、モードは、図５、図６に示す８種類（または９種類）のモードがあるものとする。すなわち、図示のモードＡ０、モードＡ１、モードＡ２、モードＳ、モードＢ１、モードＢ２、モードＣ、モードＤの８種類のモードがある。あるいは、モードＡ０を、モードＡ０−１とモードＡ０−２とに細分化することで、９種類のモードがあるものとしてもよい。
【００８４】
尚、一例としては、モードＳは上記モード（２）に相当し、モードＤは上記モード（４）に相当すると見做しても構わない。あるいは、一例としては、モードＡ０−１とモードＡ０−２とモードＡ１とモードＡ２は、上記モード（１）を４つに細分化したものと見做しても構わない。あるいは、一例としては、モードＢ１とモードＢ２とモードＣは、上記モード（３）を３つに細分化したものと見做しても構わない。
【００８５】
各モードにおける運転制御内容を、図５では概略的に示し、図６では詳細に示す。
また、図７〜図９には、上記９種類のモード間のモード遷移の為の判定条件を示す。つまり、図７〜図９にはモード遷移表を示している。尚、図７〜図９は、１つのモード遷移表を３つに分けて示しているものである。
【００８６】
また、図５に示す矢印は、各モードからの遷移先のモードを示す。図５に示すように、モード遷移における遷移先は、現在のモードに隣接するモードに限られる。隣接するモードとは、図５において、例えばモードＡ２に隣接するモードは、モードＡ１とモードＳである。従って、モードＡ２で運転中の状態での遷移先は、モードＡ１とモードＳの何れか一方となる。また、この例では双方向に遷移可能である。つまり、例えばモードＡ２とモードＡ１に関しては、図示の矢印で示す通り、モードＡ２からモードＡ１に遷移することも、その逆にモードＡ１からモードＡ２に遷移することもできる。
【００８７】
但し、全てにおいて双方向に遷移できるとは限らず、図示の例では、矢印で示す通り、モードＳからモードＢ２に遷移することは出来るが、その逆にモードＢ２からモードＳに遷移することはできない。同様に、矢印で示す通り、モードＢ１からモードＳに遷移することは出来るが、その逆にモードＳからモードＢ１に遷移することはできない。モードＢ２からモードＳになる為には、一旦、モードＢ２からモードＢ１に遷移した後、モードＢ１からモードＳに遷移することになる。
【００８８】
以下、まず、図５、図６を参照して（主に図６を参照して）各モードにおける運転制御内容について説明する。
図６には、上記９種類の各モードにおける外気ファン２８、ポンプ２２、圧縮機２４、冷水ポンプ３２の運転状況を示す。外気ファン２８は、全冷房機に共通の構成であり、基本的には停止させることはないが、モードＡ０−１の場合のみ、停止させる。モードＡ０−１は、外気温が非常に低い場合を想定したモードであり、ポンプ２２のみ運転させる最も省エネのモードである。
【００８９】
基本的に、ポンプ２２の停止は間接外気冷房機の停止を意味し、圧縮機２４の停止は圧縮冷凍冷房機の停止を意味し、冷水ポンプ３２の停止は雪氷冷房機の停止を意味する。
そして、図６に示す例では、上記モード“A0-1”では、外気ファン２８は停止状態であり、ポンプ２２を間欠運転している。つまり、ＯＮ／ＯＦＦを繰り返して運転している。尚、この間欠運転におけるＯＮ時には、ポンプ２２の回転数は最低にしている。また、逐一述べないが、モード（１）に係わる全モード（“A0-1”、“A0-2”、Ａ１，Ａ２）において、圧縮機２４と冷水ポンプ３２は、停止状態となっている。
【００９０】
また、図６に示すように、上記モード“A0-2”では、ポンプ２２は上記最低回転数で一定の運転状態であり、外気ファン２８は間欠運転している。尚、この間欠運転におけるＯＮ時には、外気ファン２８の回転数は最低にしている。
【００９１】
尚、モード“A0-2”とモード“A0-1”とを比較した場合、モード“A0-2”の方が、消費電力が大きく、且つ、冷房能力が高い。
また、図６に示すように、モードＡ１では、外気ファン２８を最低回転数一定で運転すると共に、ポンプ２２を制御する。これは、ポンプ２２の回転数を可変制御して、給気ＳＡの温度が、予め任意に設定される所定値（設定値）となるように、調整制御するものであり、一例としてはＰＩＤ制御を行うものであるが、この例に限らない。但し、本例では、ＰＩＤ制御を例にして説明するものとする。また、本例では、ポンプ２２に限らず、外気ファン２８、圧縮機２４、冷水ポンプ３２に関しても、その回転数を可変制御して給気温度が設定値となるように調整制御するときには、一例としてＰＩＤ制御を行うものとして説明する。
【００９２】
尚、ＰＩＤ制御は、よく知られている一般的な制御であり、ここでは特に詳細には説明しないものとする。本例では、基本的に、給気ＳＡの温度（給気温度）が、設定温度となるようにＰＩＤ制御する。
【００９３】
これより、上記モードＡ１においては、例えば、「給気温度＞設定温度」であればポンプ２２の回転数を上げることで、給気温度が設定値となるように制御する。つまり、「給気温度≒設定値」となるように制御する。尚、給気温度とは、給気ＳＡの温度であり、例えば上記給気温度センサ１４の計測値を用いて制御するものである。
【００９４】
そして、上記モードＡ１において、ポンプ２２の回転数を最大にしても「給気温度≒設定温度」とならない場合には、モードＡ２へと遷移することになる。
尚、上記給気温度は、図１に示す給気温度センサ１４の計測値を、随時、取得するものである。
【００９５】
また、図６に示すように、モードＡ２では、ポンプ２２を最大回転数一定で運転すると共に、外気ファン２８の回転数を可変制御する。これは、上記の通り、本例ではＰＩＤ制御するものとする。勿論、この場合も、給気温度が設定温度となるようにＰＩＤ制御する。例えば、「給気温度＞設定温度」であれば外気ファン２８の回転数を上げるが、外気ファン２８の回転数を最大にしても「給気温度≒設定温度」とならない場合には、モードＳへと遷移することになる。
【００９６】
図６に示すように、モードＳでは、ポンプ２２を最大回転数一定で運転すると共に、雪氷冷房機を運転状態にする。つまり、冷水ポンプ３１を起動して運転状態にする。そして、外気ファン２８をＰＩＤ制御する。勿論、この場合も、給気温度が設定温度となるようにＰＩＤ制御する。尚、冷水ポンプ３１は、予め任意に設定された所定の回転数一定で運転する。
【００９７】
モードＳにおいて、外気ファン２８の回転数を最大にしても「給気温度≒設定温度」とならない場合には、モードＢ２へと遷移することになる。
図６に示すように、モードＢ２では、圧縮機２４を運転状態にする。よって、モードＳから遷移した場合には、まず、圧縮機２４を起動する。そして、圧縮機２４は最低能力一定で運転する。また、冷水ポンプ３２は、上記モードＳの場合と同様、所定の回転数一定で運転する。また、外気ファン２８は、最大回転数一定で運転する。そして、ポンプ２２をＰＩＤ制御する。勿論、この場合も、給気温度が設定温度となるようにＰＩＤ制御する。
【００９８】
そして、ポンプ２２の回転数を最大にしても「給気温度≒設定温度」とならない場合には、モードＣへと遷移することになる。
尚、モードＢ２において、所定の条件に合致する状況になったら、モードＢ１へ移行する。この条件については、後に図７〜図９に示すモード遷移表を参照して説明する。
【００９９】
図６に示すように、モードＢ１では、モードＢ２と同様に冷水ポンプ３２は運転状態であり且つ圧縮機２４は最低回転数で運転状態にしており、更に、ポンプ２２を予め設定された一定の回転数で運転すると共に外気ファン２８をＰＩＤ制御する。上記一定の回転数は、予め開発者等が任意に設定しているものであり、基本的に、最低回転数より大きく、最大回転数未満である、任意の回転数である。例えば一例としては最大回転数に対して５０％程度の回転数である。
【０１００】
尚、実施例１では、モードＳに係わる遷移対象としてモードＢ１とモードＢ２の２つのモードを設け、モードＳからモードＢ２へは遷移可能であるが、その逆のモードＢ２からモードＳへの遷移は行えないように制御している。また、モードＢ１からモードＳへは遷移可能であるが、その逆のモードＳからモードＢ１への遷移は行えないように制御している。この様な制御を行う理由と、モードＢ２とモードＢ１との違いについて、後に図１０を参照して説明するものとする。ここでは、引き続き図６を参照して、各モードとモード遷移について説明する。
【０１０１】
上記モードＣにおいては、図６に示すように、外気ファン２８は最大回転数一定で運転すると共に、冷水ポンプ３２は運転状態とする。これらは、モードＢ２から移行してきた場合には、引き続きモードＢ２と同じ制御を行うことになる。また、ポンプ２２は最大回転数一定で運転すると共に、圧縮機２４をＰＩＤ制御する。勿論、この場合も、給気温度が設定温度となるようにＰＩＤ制御する。
【０１０２】
そして、モードＣで運転中に、間接外気利用冷房機を運転する意味が無い（かえって、逆効果となる）状況になったと判定したら、モードＤへ移行する。
モードＤでは、基本的には、ポンプ２２と冷水ポンプ３２を停止する。つまり、モードＤは、圧縮冷凍冷房機（一般冷房機）の単独運転モードである。但し、この例に限らず、冷水ポンプ３２は停止しないようにしてもよい。
【０１０３】
ここで、図１の構成の場合には、１つの考え方としては、上記モードＳ、モードＢ１、モードＢ２、モードＣにおいては、実質的に、運転状態の雪氷冷房機によって、間接外気利用冷房機の冷房能力を底上げしていると見做しても構わない。つまり、図３において、点線で示す冷房能力を、一点鎖線で示す冷房能力へと底上げしていると見做しても構わない。しかしながら、外気温が高くなっていくと、何れは、一点鎖線で示す冷房能力が、‘０’になり、更に外気温が高くなれば‘０’より小さくなる（負の値となる）。冷房能力が負の値となるとは、還気ＲＡを冷却して温度低下させるどころか、逆に、還気ＲＡを温度上昇させることを意味している。つまり、運転すると逆効果となる。この様に、冷房能力が負の値となってしまっては運転する意味が無いので、間接外気冷房機を運転停止する。これに伴って雪氷冷房機も運転停止するようにしてもよい。つまり、一例としては上記の通り、ポンプ２２と冷水ポンプ３２を運転停止する。これが、上記モードＤであり、図３に示す“（４）冷凍冷房”モードである。
【０１０４】
上記間接外気利用冷房機を運転する意味が無い状況であるか否かを判定する処理は、例えば、図１の外気温度センサ２９で計測される外気ＯＡの温度と、還気温度センサ１５で計測される還気ＲＡの温度とに基づいて、実行される。ここで、上記の通り、雪氷冷房機を運転中には、外気温度センサ２９は、冷気コイル３１によって冷却された外気ＯＡの温度を計測することになる。そして、外気ＯＡの温度が、この様に雪氷冷房機によって冷却されても、なお、還気ＲＡの温度より高い状況になったら、間接外気利用冷房機を運転する意味が無いと判定する。
【０１０５】
以上、各モードにおける運転制御内容を説明すると共に、モード間の遷移についても部分的・簡単に説明した。以下、モード間遷移について詳細に説明する。つまり、以下、図７〜図９に示すモード遷移表を参照して、上記モード遷移の判定処理について説明する。
【０１０６】
図７、図８、図９は、実施例１に係わるモード遷移表である。尚、図７、図８、図９は、１つのモード遷移表を３つに分けて示しているものであり、以下、特に区別せずに纏めて図７等と記す場合もあるものとする。
【０１０７】
尚、制御装置４０には、予め、例えば図７〜図９に示すモード遷移表に準じたモード遷移判定処理が、組み込まれている。
図７〜図９に示すモード遷移表は、先頭から順に、外気温度が低い状態から外気温度が上昇していき最終的にモードＤとなるまでの各モード遷移を示し、更に、モードＤから外気温度が下降しておき最終的にモード“A0-1”となるまでの各モード遷移を示す。以下、上から順に説明していく。
【０１０８】
まず、図７等に示すモード遷移表の最も上には、モード“A0-1”からモード“A0-2”への遷移の為の判定条件を示す。ここで、判定条件は、「温度」と「機器」の２種類の判定条件から成り、両方の判定条件を満たさないと、モード遷移は実行されない。但し、モード“A0-1”からモード“A0-2”への遷移に関する「機器」の判定条件は、現在のモードがモード“A0-1”であることを確認する意味に過ぎず、従って無くてもよい。これは、モード“A0-2”からモードＡ１への遷移に関しても同様である。
【０１０９】
上記モード“A0-1”からモード“A0-2”への遷移の為の判定条件における「温度」条件は、図示のように、「ＳＡ温度＞ＳＡ設定値＋α」である。尚、これは、基本的には、「ＳＡ温度＞ＳＡ設定値」であり、＋αは必須ではない。但し、＋αは、後述する「ＳＡ温度＞ＳＡ設定値−β」と共に、主にハンチング防止の為に用いられる。この場合のハンチングとは、「“A0-1”から“A0-2”への遷移」と「“A0-2”から“A0-1”への遷移」とが、短時間のうちに何度も繰り返される現象が、生じることである。
【０１１０】
尚、上記α、βは、予め任意に設定されている所定値である。
尚、上記のことから、以下の説明では、基本的には、上記α、βを考慮せずに、基本的な判定条件としての「ＳＡ温度＞ＳＡ設定値」や「ＳＡ温度＜ＳＡ設定値」を用いて説明するものとする。
【０１１１】
また、尚、ＳＡ温度は、上記図１の給気温度センサ１４によって計測される、給気ＳＡの温度である。ＳＡ設定値は、このＳＡ温度に関してユーザ等が任意に設定した設定温度である。ＳＡ設定値は、任意のメモリ領域に記憶される。また、ユーザが、ＳＡ設定値を変更することも起こり得る。
【０１１２】
上記のことから、ここでは、モード“A0-1”からモード“A0-2”への遷移の為の「温度」判定条件は、「ＳＡ温度＞ＳＡ設定値」であるものとする。また、この遷移の為の「機器」の判定条件は、図示の通りであるが、上記の通り、これは確認的な意味であり、現在のモードがモード“A0-1”であればこの条件は満たすはずである。尚、当然、制御装置４０は、現在のモードは認識できるものである。
【０１１３】
上記のことから、現在のモードがモード“A0-1”である場合において「ＳＡ温度＞ＳＡ設定値」となった場合、すなわち給気ＳＡの温度が、設定温度より高くなった場合には、モード“A0-1”からモード“A0-2”へと遷移する。つまり、上記のように、ポンプ２２は間欠運転から最低回転数一定とし、外気ファン２８は停止状態から起動して間欠運転状態にする。
【０１１４】
上記と同様にして、モード“A0-2”からモードＡ１への遷移に関しても、現在のモードがモード“A0-2”である場合において「ＳＡ温度＞ＳＡ設定値」（ＳＡ温度＞ＳＡ設定値＋α）となった場合、すなわち給気ＳＡの温度が、設定温度より高くなった場合には、モード“A0-2”からモードＡ１へと遷移する。
【０１１５】
続いて、モードＡ１からモードＡ２への遷移に関しては、図７等に示すように、「温度」判定条件は上記と同じ「ＳＡ温度＞ＳＡ設定値」（ＳＡ温度＞ＳＡ設定値＋α）である。また、「機器」判定条件は、「外気ファン回転数下限」且つ「ポンプ回転数上限」である。但し、モードＡ１は外気ファン２８を最低回転数一定で運転するモードであるので、「外気ファン回転数下限」はモードＡ１であることの確認的な意味であり、必須ではない。一方、「ポンプ回転数上限」の条件は必須である。これより、モードＡ１からモードＡ２への遷移条件は、「ＳＡ温度＞ＳＡ設定値」且つ「ポンプ回転数上限」であると見做しても構わない。
【０１１６】
上記の通り、モードＡ１ではポンプ２２のＰＩＤ制御を行う。これより、モードＡ１中に例えば「ＳＡ温度＞ＳＡ設定値」の状態となったら、ポンプ２２の回転数を上げることで、ＳＡ温度が設定値を維持するように制御している。しかし、ポンプ２２を最大回転数で運転している状態で「ＳＡ温度＞ＳＡ設定値」となったら、モードＡ１では対応できないことになる。これより、ポンプ２２が最大回転数の状態で「ＳＡ温度＞ＳＡ設定値」となったら、モードＡ１からモードＡ２へと遷移する。
【０１１７】
モードＡ２からモードＳへの遷移に関しては、図７等に示すように、「温度」判定条件は上記と同じ「ＳＡ温度＞ＳＡ設定値」（ＳＡ温度＞ＳＡ設定値＋α）である。また、「機器」判定条件は、「外気ファン回転数上限」である。
【０１１８】
上記の通り、モードＡ２では、ポンプ２２を最大回転数一定で運転すると共に、外気ファン２８をＰＩＤ制御している。例えば「ＳＡ温度＞ＳＡ設定値」の状態となったら、外気ファン２８の回転数を上げることで、ＳＡ温度がＳＡ設定値を維持するように制御している。しかし、外気ファン２８を最大回転数で運転している状態で「ＳＡ温度＞ＳＡ設定値」となったら、モードＡ２では対応できないことになる。これは、間接外気冷房機を最大能力で運転してもＳＡ温度をＳＡ設定値に維持できなくなったことを意味し、以って間接外気冷房機の単独運転では対応できない状況になったことを意味している。
【０１１９】
これより、モードＡ２において外気ファン２８が最大回転数の状態で「ＳＡ温度＞ＳＡ設定値」となったら、モードＡ２からモードＳへと遷移する。これより、雪氷冷房機を起動して運転開始する。尚、図１の構成例の場合には、モードＳは、実質的に、間接外気冷房機と雪氷冷房機との併用運転となる。
【０１２０】
モードＳへと遷移する場合には、冷水ポンプ３１を起動して雪氷冷房機を運転開始する。尚、モードＳでは、ポンプ２２は、モードＡ２と同じく、最大回転数一定で運転する。外気ファン２８は、モードＡ２と同じく、ＰＩＤ制御を行う。勿論、ＳＡ温度がＳＡ設定値を維持するようにＰＩＤ制御する。尚、モード遷移時には上記のように外気ファン２８は最大回転数になっていたが、雪氷冷房機を運転開始したことで、回転数を下げてもＳＡ温度はＳＡ設定値を維持できるはずである。
【０１２１】
モードＳからモードＢ２への遷移に関しては、図７等に示すように、「温度」判定条件は上記と同じ「ＳＡ温度＞ＳＡ設定値」（ＳＡ温度＞ＳＡ設定値＋α）である。また、「機器」判定条件は、「外気ファン回転数上限」である。つまり、モードＳからモードＢ２への遷移条件は、モードＡ２からモードＳへの遷移条件と同じである。よって、ここでは特に説明しない。
【０１２２】
ここで、図５に示して既に簡単に説明したように、モードＢ２からの遷移先は、モードＣとモードＢ１である。そして、モードＢ１に遷移した場合、そこからモードＳに遷移する場合もあれば、モードＢ２に戻る場合もある。モードＢ１からモードＳに遷移する場合については、後述するものとし、ここでは、モードＢ２からモードＢ１への遷移条件、モードＢ２からモードＣへの遷移条件、モードＢ１からモードＢ２への遷移条件について、それぞれ説明する。
【０１２３】
まず、モードＢ２−モードＢ１間の相互の遷移条件について説明する。図示の例では、何れの場合でも、「温度」判定条件のみであり、「機器」判定条件は無い。
すなわち、まず、モードＢ２からモードＢ１への遷移条件は、「ＳＡ温度＜ＳＡ設定値」（ＳＡ温度＜ＳＡ設定値−β）または「間接外気冷房最大能力＞冷房能力必要量」である。モードＢ２で運転中に、この２つの条件のうちの少なくとも１つの条件を満たした場合（よって、２つも満たしていても構わない）、モードＢ１へ遷移すると判定することになる。この意味であるが、冷房能力はモードＢ２のほうがモードＢ１よりも高いので、冷房能力が不足しているときはモードＢ１からモードＢ２へ移行し、それでも足りなければモードＣへ移行する。逆に、冷房能力が過多である場合は、モードＣからモードＢ２へ移行し、それでも過多ならばモードＢ１へ移行する。
【０１２４】
すなわち、モード遷移表におけるモードＢ２からモードＢ１への遷移の判定条件は、冷房能力が過多であることを表すものであり、「ＳＡ温度＜ＳＡ設定値-β」（設定した温度よりも低くなっている）と「間接外気冷房最大能力＞冷房能力必要量」（持っている能力が必要とされる能力よりも大きい）はいずれもこれに該当する。なお、モードＢ１を経由しないとモードＳに遷移できないので、本来モードＳで運転しても良い条件である「間接外気冷房最大能力＞冷房能力必要量」を満たしている場合に、モードＢ２からモードＢ１に遷移させる為に必要な条件となる。したがって、これらいずれかの関係が成り立てば、遷移することになる。
【０１２５】
一方、モードＢ１からモードＢ２への遷移条件は、「ＳＡ温度＞ＳＡ設定値」（ＳＡ温度＞ＳＡ設定値＋α）且つ「間接外気冷房最大能力＜冷房能力必要量」である。モードＢ１で運転中に、この２つの条件の両方とも満たした場合に、モードＢ２へ遷移すると判定することになる。モード遷移表におけるモードＢ１からモードＢ２への遷移の判定条件は、冷房能力が不足していることを表すものであり、「ＳＡ温度＞ＳＡ設定値+α」（設定した温度よりも高くなっている）と「間接外気冷房最大能力＜冷房能力必要量」（持っている能力が必要とされる能力よりも低い）はいずれもこれに該当する。したがって、これらの関係のいずれもが成り立てば、遷移することになる。なお、「間接外気冷房最大能力＜冷房能力必要量」は、モードＢ１ではポンプ２２が一定運転となっているため、モードＳでは冷房能力が不足することを確認するための条件である。
【０１２６】
上記条件における間接外気冷房最大能力、冷房能力必要量は、それぞれ、下記の各算出式（（１）式、（２）式）によって算出する。
間接外気冷房最大能力（ｋＷ）
＝（還気温度（ＲＡ）（℃）−外気温度（ＯＡ）（℃））×顕熱交能力（ｋｗ／Ｋ）・・・（１）式
冷房能力必要量（ｋＷ）
＝（還気温度（ＲＡ）（℃）−給気温度（ＳＡ）（℃））×空気比熱×空気比重×給気風量／３６００・・・（２）式
尚、上記顕熱交能力は、顕熱交換器１１，２１の特性に起因する定数であり、型式試験時に実測して求められているものである。
【０１２７】
また、上記給気風量は、給気ＳＡの風量であり、例えば内気ファン１３の回転数に基づいて算出してもよいし、不図示の風量計の計測値を取得してもよい。
上記各算出式における還気温度（℃）は、還気温度センサ１５で測定された、還気ＲＡの温度である。また、外気温度（℃）は、外気温度センサ２９で測定された、外気ＯＡの温度である。
【０１２８】
また、空気比熱[ｋＪ／ｋｇ・Ｋ]、空気比重[ｋｇ／ｍ３]、風量[ｍ３／ｈ]である。
また、モードＢ２からモードＣへの遷移に関しては、図７等に示すように、「温度」判定条件は「ＳＡ温度＞ＳＡ設定値」（ＳＡ温度＞ＳＡ設定値＋α）である。また、「機器」判定条件は、「外気ファン回転数上限」且つ「ポンプ回転数上限」である。尚、図６の例ではモードＢ２では外気ファン２８は最大回転数一定で運転しているので、「機器」判定条件は、実質的に、「ポンプ回転数上限」のみと見做しても構わない。モードＢ２においては、ＳＡ温度が設定値を維持するようにポンプ２２をＰＩＤ制御しており、ポンプ２２を最大回転数で運転しても、「ＳＡ温度＞ＳＡ設定値」となる状態となったら、モードＣへと遷移する。
【０１２９】
また、図７等に示すように、モードＣで運用中に「ＲＡ温度＜ＯＡ温度」となったら、モードＤへと遷移する。モードＤで運用中に「ＲＡ温度＞ＯＡ温度」となったら、モードＣへと遷移する。尚、ＲＡ温度は還気ＲＡの温度の計測値であり、上記図１の還気温度センサ１５によって随時計測する。ＯＡ温度は、外気ＯＡの温度の計測値であり、例えば図１に示す外気温度センサ２９による計測値である。つまり、冷水コイル３１を通過後の外気ＯＡの温度である。
【０１３０】
よって、モードＣで運用中には冷水コイル３１で冷却後の外気ＯＡの温度となる。つまり、モードＣで運用中に、外気ＯＡを冷水コイル３１で冷却しても、なお、外気０Ａの温度が還気ＲＡの温度より高い状態となったら、間接外気利用冷房機を運転する意味が無いことになる（かえって、逆効果となる）。尚、逆効果になるとは、外気ＯＡによって還気ＲＡを温度低下させるどころか、逆に還気ＲＡを温度上昇させてしまうことを意味する。これより、上記のように、モードＣにおいて「ＲＡ温度＜ＯＡ温度」となったら、モードＤへと遷移する。つまり、間接外気利用冷房機を運転停止し、更に本例ではこれに伴って雪氷冷房機も運転停止し、圧縮冷凍冷房機（一般冷房機）の単独運転状態とする。
【０１３１】
以上、外気が温度上昇していきモードＤになるまでを例にして、各モード遷移について説明した。
以下、モードＤから外気温度が下降していきモードＡ０−１になるまでを例にして、各モード遷移について説明するものとする。
【０１３２】
まず、モードＤで運転中に、間接外気利用冷房機が機能する状態となったら、すなわち間接外気利用冷房機によって還気ＲＡを冷却できる状態にまで外気温度が下がったならば、モードＣへ遷移する。つまり、上記のように、モードＤで運用中に「ＲＡ温度＞ＯＡ温度」となったら、モードＣへと遷移する。
【０１３３】
また、モードＣからモードＢ２への遷移に関しては、図７等に示すように、「温度」判定条件は「ＳＡ温度＜ＳＡ設定値」（ＳＡ温度＜ＳＡ設定値−β）であり、「機器」判定条件は「圧縮機回転数下限」である。
【０１３４】
モードＣでは、図６で説明したように、圧縮機２４をＰＩＤ制御している。これは、上述したように、ＳＡ温度がＳＡ設定値を維持するように（ＳＡ温度≒ＳＡ設定値）制御するものである。モードＣで運転中には、外気温度が低下して「ＳＡ温度＜ＳＡ設定値」となったら、圧縮機２４の回転数を下げることで、“ＳＡ温度≒ＳＡ設定値”となるように制御する。そして、圧縮機２４の回転数を最低回転数まで下げた状態で「ＳＡ温度＜ＳＡ設定値」となったら、モードＢ２へと遷移する。
【０１３５】
尚、図示の具体例では、「温度」判定条件は「ＳＡ温度＜ＳＡ設定値−β」となっている。これによって、上記「ＳＡ温度＞ＳＡ設定値＋α」と共に、ハンチング防止するものである。すなわち、仮に、モードＢ２において「ＳＡ温度＞ＳＡ設定値＋α」になったことからモードＣに遷移したが、直後にＳＡ温度が多少低下して「ＳＡ温度＜ＳＡ設定値＋α」となったとしても、「ＳＡ温度＜ＳＡ設定値−β」となる可能性は低いので、モードＢ２に戻らないで済むことになる。
【０１３６】
モードＢ２からモードＢ１への遷移条件については、既に説明した。
モードＢ１からモードＳへの遷移条件は、図７等に示すように、「温度」判定条件のみである。すなわち、遷移条件は「雪氷使用時の間接外気冷房最大能力＞冷房能力必要量」であり、この遷移条件を満たす場合にはモードＢ１からモードＳへ遷移する。
【０１３７】
ここで、冷房能力必要量は上記（２）式によって算出する。“雪氷使用時の間接外気冷房最大能力”は、上記（１）式を用いるが、（１）式における上記“外気温度”は、外気温度センサ２９による計測値を用いる。モードＢ１では冷水ポンプ３２を運転しているので、冷水コイル３１によって冷却後の外気ＯＡの温度計測値を、（１）式における上記“外気温度”として用いることになる。
【０１３８】
モードＢ１では圧縮機２４を運転しているが、モードＳでは圧縮機２４を停止する。つまり、モードＢ１からモードＳへの遷移条件は、圧縮機２４を停止してもよい状況となっているか否かを、確認する為のものである。これより、上記「雪氷使用時の間接外気冷房最大能力＞冷房能力必要量」の条件を用いている。この遷移条件は、例えば図３におけるモード（２）で運転したときの全体の冷房能力（“間接外気利用冷房機＋雪氷冷房機”の冷房能力）が、図３に示す必要冷房能力より大きいか否かを確認する為のものである。
【０１３９】
モードＳからモードＡ２への遷移条件は、２種類あり、これらはＯＲの関係である。つまり、２種類の遷移条件の何れか一方を満たせば、モードＳからモードＡ２へと遷移する。尚、図７等では、２種類の遷移条件の一方を「機器」の欄に記載してあるが、これは「機器」判定条件のみであることを意味するものではない。
【０１４０】
上記２種類の遷移条件の一方は、「間接外気冷房最大能力＞冷房能力必要量」であり、この遷移条件を満たす場合にはモードＳからモードＡ２へ遷移する。尚、この場合も、冷房能力必要量は上記（２）式によって算出する。また、“間接外気冷房最大能力”は、上記（１）式を用いるが、（１）式における上記“外気温度”は、外気温度センサ３４による計測値を用いる。上記の通り、外気温度センサ３４は、冷水コイル３１の上流に設置されるセンサであり、冷水コイル３１によって冷却される前の外気ＯＡの温度、すなわち本来の外気ＯＡの温度を、計測するセンサである。
【０１４１】
上記の通り、モードＳでは冷水ポンプ３２を運転しているが、モードＡ２では冷水ポンプ３２を停止している。上記２種類の遷移条件の一方は、雪氷冷房機を停止してもよい状況であるか否か、換言すれば間接外気利用冷房機を単独運転しても問題ない状況であるか否かを、確認する為のものである。これより、上記の通り、本来の外気ＯＡの温度を（１）式に適用することで、間接外気利用冷房機単独での冷房能力を算出し、これが図３に示す必要冷房能力より大きいか否かを、確認する。
【０１４２】
上記２種類の遷移条件の他方は「“ＳＡ温度＜ＳＡ設定値”（ＳＡ温度＜ＳＡ設定値−β）且つ“外気ファン回転数下限”」である。つまり、モードＳでは、図６で説明したように、外気ファン２８をＰＩＤ制御しており、“ＳＡ温度＜ＳＡ設定値”となったら外気ファン２８の回転数を下げることで“ＳＡ温度≒ＳＡ設定値”となるように制御している。そして、外気ファン２８の回転数を最低回転数にした状態で“ＳＡ温度＜ＳＡ設定値”となったら、モードＳからモードＡ２へ遷移する。
【０１４３】
また、モードＡ２からモードＡ１への遷移条件は、図７等に示すように、「ＳＡ温度＜ＳＡ設定値」（ＳＡ温度＜ＳＡ設定値−β）且つ「外気ファン回転数下限」である。つまり、モードＡ２では上記のように外気ファン２８の回転数可変制御を行っており、「ＳＡ温度＜ＳＡ設定値」となったら外気ファン２８の回転数を下げることで対応している。しかしながら、外気ファン２８の回転数を最低まで下げた状態で「ＳＡ温度＜ＳＡ設定値」となったら、モードＡ２からモードＡ１に遷移する。
【０１４４】
また、モードＡ１からモード“A0-2”への遷移条件は、図７等に示すように、「ＳＡ温度＜ＳＡ設定値」（ＳＡ温度＜ＳＡ設定値−β）且つ「ポンプ回転数下限」である。つまり、モードＡ１では上記のようにポンプ２２の回転数可変制御を行っており、「ＳＡ温度＜ＳＡ設定値」となったらポンプ２２の回転数を下げることで対応している。しかしながら、ポンプ２２の回転数を最低まで下げた状態で「ＳＡ温度＜ＳＡ設定値」となったら、モードＡ１からモード“A0-2”に遷移する。
【０１４５】
また、モード“A0-2”からモード“A0-1”への遷移条件は、図７等に示すように、「ＳＡ温度＜ＳＡ設定値」（ＳＡ温度＜ＳＡ設定値−β）である。
上述した各モードの運転内容とモード遷移について、以下、まとめて簡単に説明する。簡単な説明であるので、基本的には、図３に示すモードを想定して説明するものとする。
【０１４６】
また、以下の説明では、外気温が低く、それ故に間接外気冷房機の単独運転モードとなっている状態から、外気温が上昇していくことで雪氷冷房機も運転し、その後、更に外気温が上昇していくことで圧縮冷凍冷房機も運転し、その後、更に外気温が上昇していくことで圧縮冷凍冷房機の単独運転とする場合を想定している。更に、その後、外気温が低下していく場合を想定している。
【０１４７】
外気温が低く、間接外気冷房機だけで給気ＳＡの温度を設定温度で維持することができる間は、間接外気冷房機の単独運転モード（モード（１））とし、外気ユニット２０のポンプ２２や外気ファン２８の回転数を制御することで給気ＳＡの温度を設定値付近に維持させるように制御する。
【０１４８】
外気温が高くなり、外気ユニット２０のポンプ２２と外気ファン２８の両方の回転数を最大にしても、すなわち間接外気冷房機を最大能力で運転しても、ＳＡ温度を設定温度に維持できない場合は（ＳＡ温度＞設定温度）、雪氷冷房機を起動して、間接外気冷房機と雪氷冷房機の併用運転モードへと移行する。この併用運転モード（モード（２））中は、例えば、雪氷冷房機は、一定の冷房能力で運転させる。つまり、例えば、冷水ポンプ３２を一定の回転数で運転する。そして、外気ファン２８の回転数を制御して、ＳＡ温度を設定値付近に維持させる。
【０１４９】
更に外気温が上昇し、「間接外気冷房機＋雪氷冷房機」ではＳＡ温度を設定値付近に維持させることが出来なくなったら、圧縮冷凍冷房機を運転開始する（モード（３））。但し、最初は、圧縮冷凍冷房機を最低冷房能力で運転する。つまり、圧縮機２４を最低回転数一定で運転する。そして、圧縮冷凍冷房機が最低冷房能力の状態では、間接外気冷房機と雪氷冷房機を最大冷房能力で運転してもＳＡ温度を設定値付近に維持させることが出来なくなったら、圧縮冷凍冷房機の冷房能力を上げる。つまり、圧縮機２４をＰＩＤ制御して、外気温度上昇に対しては圧縮機２４の回転数を上げることで対応させる。
【０１５０】
更に外気温が高くなり、外気温が還気温度を超えるようなったら、外気冷房は逆効果となるので、間接外気冷房機を停止する。つまり、ポンプ２２を停止する。更に、これに伴って雪氷冷房機も運転停止するようにしてもよいが、この例に限らない。雪氷冷房機も運転停止する場合には、圧縮冷凍冷房機の単独運転状態（モード（４））となる。
【０１５１】
上記のように、外気ＯＡが温度上昇して圧縮冷凍冷房機の単独運転状態（上記モード（４）等）となった後、外気ＯＡが温度低下していく場合を想定して、以下、更に、モード遷移について簡単に説明する。
【０１５２】
上記圧縮冷凍冷房機の単独運転モードにおいて、外気温が低下して、間接外気冷房機が実質的に機能する状態になったら、間接外気冷房機と雪氷冷房機を運転開始する。つまり、例えばモード（３）へ移行する。尚、実質的に機能するとは、ここでは例えば雪氷冷房機によって冷房能力が底上げされた状態では機能することを意味しているものとする。
【０１５３】
モード（３）で運転中、外気温が更に低下して、圧縮冷凍冷房機が無くてもＳＡ温度を設定値付近に維持させることが出来る状態になったと判定する状況になったら、圧縮冷凍冷房機を停止する。つまり、圧縮機２４を停止する。これによって、上記モード（２）へと遷移することになる。
【０１５４】
モード（２）で運転中、外気温が更に低下して、雪氷冷房機が無くてもＳＡ温度を設定値付近に維持させることが出来る状態になったと判定する状況になったら、すなわち冷水コイル３１に冷水を流すと給気温度（ＳＡ温度）が下がり過ぎるようになったら、雪氷冷房機の運転を停止する。これは、例えば、冷水ポンプ３２を停止する。これによって、再び、間接外気冷房機の単独運転モードとし、例えば最初は上記モードＡ２にして、外気ユニット２０の外気ファン２８の回転数を制御することで、給気温度を設定温度付近に維持する。
【０１５５】
そして、更に外気温度が下がって、外気ユニット２０の外気ファン２８の回転数を最低にしても給気温度が下がり過ぎるようになったら、次は外気ユニット２０のポンプ２２の回転数を制御することで給気温度を設定温度付近に維持する（モードＡ１）。
【０１５６】
更に外気温度が下がって、外気ユニット２０のポンプ２２の回転数を最低にしても給気温度が下がり過ぎるようになったら、ポンプ２２の回転数はそのまま最低のままにして、外気ファン２８をON/OFF（間欠運転）する（モード“A0-2”）。
【０１５７】
更に外気温度が下がって、外気ファン２８のON/OFFでも給気温度が下がり過ぎるようになったら、外気ファン２８は停止させ、ポンプ２２を間欠運転する（モード“A0-1”）。
尚、上述した一例では、雪氷冷房機（冷水ポンプ３２）の制御も、制御装置４０が実行するものとしたが、この例に限らない。雪氷冷房機（冷水ポンプ３２）の制御は，不図示の上位システムが実行するものであってもよい。この例の場合、制御装置４０は、雪氷冷房機（冷水ポンプ３２）の起動／停止に係わるモード遷移があった場合には、これを不図示の上位システムに通知する。上位システムは、この通知内容に応じて、雪氷冷房機（冷水ポンプ３２）の起動／停止等の制御を行う。例えば、モードＡ２からモードＳに遷移した場合には、その旨を上位システムに通知する。この通知に応じて、上位システムは、雪氷冷房機（冷水ポンプ３２）を起動する。
【０１５８】
あるいは、雪氷冷房機が、複数のハイブリッド型空調システムに共通の構成であるものとしてもよい。ハイブリッド型空調システムとは、上記特許文献２等に開示されている、間接外気利用冷房機と圧縮冷凍冷房機（一般冷房機）とを備える空調システムであり、例えば図１における外気ユニット２０及び内気ユニット１０の構成である。この様な場合、複数のハイブリッド型空調システムそれぞれに対応させて、複数の冷水コイル３１が設けられる。また、上位システムは、雪氷冷房機（冷水ポンプ３２）を、基本的に常に運転状態にする。そして、例えば、上位システムは、モードＡ２等で運転中のハイブリッド型空調システムに対応する冷水コイル３１に対しては、不図示の弁を閉状態にすることで、冷水が供給されないようにする。そして、上位システムは、この空調システムから例えば上記のモードＡ２からモードＳに遷移した旨の通知があった場合には、この不図示の弁を開状態とすることで、対応する冷水コイル３１に冷水が供給さされるようにする。
【０１５９】
また、雪氷冷房機を上記複数のハイブリッド型空調システムに共通の構成とする例の場合、一例として雪氷冷房機（冷水ポンプ３２）は基本的に常に運転状態にするものと説明したが、この例に限らない。例えば、上位システムは、複数のハイブリッド型空調システムの全てにおいて、雪氷冷房機を運転する必要がない状態（例えばモードＡ１やモードＡ２等）である場合には、冷水ポンプ３２を停止状態にする。そして、そのうちの一台からモードＳに遷移した旨の通知があった場合には、雪氷冷房機（冷水ポンプ３２）を起動する。その逆に、１台以上のハイブリッド型空調システムで雪氷冷房機を運転する必要がある状態であり、それより冷水ポンプ３２を運転している状態から、当該運転している全ての空調システムが、例えばモードＳからモードＡ２に遷移してその旨を通知してきた場合には、冷水ポンプ３２を停止する。
【０１６０】
尚、上記通知は、例えばドライ接点により行うものであってもよいが、この例に限らない。
尚、最後に、上記モードＢ１、モードＢ２について、図１０を参照して説明する。
【０１６１】
モードＢ１，Ｂ２は、図６で説明した通り、冷水ポンプ３２は運転状態であり、且つ、圧縮機２４を最低回転数一定で運転する点では、同じである。そして、ポンプ２２を一定の回転数で運転すると共に外気ファン２８をＰＩＤ制御するのが、モードＢ１である。一方、外気ファン２８を最大回転数一定で運転すると共にポンプ２２をＰＩＤ制御するのが、モードＢ２である。この様にする理由は、モードＳとのモード遷移がスムーズに行えるようにする為である。
【０１６２】
すなわち、上記モードＢ１の制御によれば、モードＢ１からモードＳへの遷移がスムーズに行えるようになる。一方、上記モードＢ２の制御によれば、モードＳからモードＢ２への遷移がスムーズに行えるようになる。これより、図５に示すように、モードＳからモードＢ２への遷移は行えるが、モードＢ２からモードＳへの遷移は行えないようにする。同様に、モードＢ１からモードＳへの遷移は行えるが、モードＳからモードＢ１への遷移は行えないようにする。この様にすることで、スムーズなモード遷移を実現できる。
【０１６３】
上記スムーズなモード遷移が行える理由について、図１０を参照して説明する。
まず、モードＢ１における上記制御によれば、外気ファン２８の回転数を制御することで、間接外気利用冷房機による冷房能力と圧縮冷凍冷房機による冷房能力を、同時に変化させることができる。例えば、図１０（ａ）に示すように、外気ファン２８の回転数を下げていくと、間接外気利用冷房機による冷房能力と圧縮冷凍冷房機による冷房能力の両方が、下がっていくことになる。
【０１６４】
一方、モードＢ２における上記制御によれば、ポンプ２２の回転数を制御することで間接外気利用冷房機による冷房能力は変化させることができるが、外気ファン２８の回転数が一定（常に最大）なので、圧縮冷凍冷房機の凝縮器２５での冷却能力が最大となっているので、冷凍冷房を早く立上げられると共に、圧縮冷凍冷房機による冷房能力は一定となる。
【０１６５】
上記モードＢ１の場合、例えば図１０（ｃ）に示すように、能力低下をスムーズに行うことができるので、モードＳへの移行時に都合がよい。すなわち、図１０（ｃ）の図上右側には、外気温度低下に伴ってモードＢ２→モードＢ１→モードＳの順にモード遷移する様子を示している。
【０１６６】
図より、全体としての冷房能力のモード遷移時の変化量が、モードＢ１からモードＳへの遷移時は図示の通り非常に小さいが、もしモードＢ２からモードＳに遷移させると比較的大きいことは明らかである。
【０１６７】
すなわち、まず、モードＳでは、圧縮冷凍冷房機は運転していないので、全体としての冷房能力は、図１０（ｃ）の図上右端に示す通り、間接外気利用冷房機による冷房能力とイコールとなる。尚、モードＳでは冷水ポンプを運転しているので、厳密にいえば「間接外気利用冷房機＋雪氷冷房機」による冷房能力ということになるが、ここでは雪氷冷房機については省略して説明するものとする。尚、これは、モードＢ１，モードＢ２に関しても同様である。
【０１６８】
一方、モードＢ２の場合、上記の通り圧縮冷凍冷房機による冷房能力は一定であるので、図１０（ｃ）に示すように、ポンプ２２の回転数を下げていくことで間接外気利用冷房機による冷房能力を最低の状態にしても、全体としての冷房能力はある程度大きいものとなる。この為、全体としての冷房能力がモードＢ２としては最も小さい状態であっても、図示の通り、モードＳの冷房能力との差は大きいことになる。
【０１６９】
一方、モードＢ１の場合、外気ファン２８の回転数を下げていくと、間接外気利用冷房機による冷房能力と圧縮冷凍冷房機による冷房能力の両方が下がっていき、これより全体としての冷房能力も下がっていく。よって、図１０（ｃ）の図上右側に示すように、全体としての冷房能力がモードＢ１としては最も小さい状態では、モードＳの冷房能力との差は殆どないことになる。これより、モードＢ２からモードＳに遷移する場合に比べれば、モードＢ１からモードＳに遷移する場合の方が、遷移がスムーズに行えるようになる。
【０１７０】
また、モードＳからモードＢ２に遷移させる場合、例えば図１０（ｃ）の図上左側に示すように、起動の遅い圧縮冷凍冷房機を早く立ち上げられるので、都合がよい。
以上、実施例１について説明した。
【０１７１】
例えば以上述べた理由により、実施例１では、モードＳとの遷移に係わるモードとしてモードＢ１、モードＢ２を設けて、図５に示すモード遷移を行うように制御しているが、この例に限らない。例えば、モードＢ１、モードＢ２の何れか一方のみがあっても構わない。
【０１７２】
モードＢ１を用いる例が以下に説明する実施例２であり、モードＢ２を用いる例が以下に説明する実施例３である。
まず、図１１〜図１４を参照して、実施例２について説明する。
【０１７３】
図１１、図１２は、実施例２に係わるモード遷移と各モードの制御内容を示す図である。また、図１３、図１４は、実施例２に係わるモード遷移表である。
尚、実施例２の説明は、実施例１とは異なる点について説明するものとし、実施例１と同様な点については説明を省略するか簡略化するものとする。
【０１７４】
まず、図１２は、実施例２の各モードの運転内容を示すが、これについては実施例１（図６）と同じであり、ここでは特に説明しない。尚、実施例２ではモードＢ２はないので、図１２にはモードＢ２については示していない点で、図６とは異なる。
【０１７５】
実施例２における各モード間のモード遷移を、図１１に示す。
実施例１（図５）と異なる点は、モードＳからモードＢ１に遷移できる共にモードＢ１からモードＳに遷移することもできる点と、モードＢ１からモードＣに遷移できる共にモードＣからモードＢ１に遷移することもできる点である。また、モードＢ２に係わるモード遷移が無い点でも、図５とは異なる。これら以外のモード遷移については、図１１に示す通り、図５と同じであるので、ここでは説明しない。
【０１７６】
図１３、図１４に、実施例２におけるモード遷移表を示す。
尚、これは、１つのモード遷移表を、図１３と図１４の２つに分けて示しているものであり、これより特に区別せずに図１３等と記す場合もあるものとする。
【０１７７】
また、図１３等に関しても、図７等に示す実施例１のモード遷移表と異なる点についてのみ、説明するものとする。
図１３等に示すように、まず、モードＳからモードＢ１への遷移に関しては、図１３等に示すように、「温度」判定条件は「ＳＡ温度＞ＳＡ設定値」（ＳＡ温度＞ＳＡ設定値＋α）であり、且つ、「機器」判定条件が「外気ファン回転数上限」である。尚、ここでも、図７等と同様、図示の＋α、−βについては、基本的に考慮しないで説明するものとする。
【０１７８】
上記の通り、モードＳでは、ポンプ２２を最大回転数一定で運転すると共に、外気ファン２８をＰＩＤ制御している。例えば「ＳＡ温度＞ＳＡ設定値」の状態となったら、外気ファン２８の回転数を上げることで、ＳＡ温度がＳＡ設定値を維持するように制御している。しかし、外気ファン２８を最大回転数で運転している状態で「ＳＡ温度＞ＳＡ設定値」となったら、モードＳでは対応できないことになる。これは、「間接外気冷房機＋雪氷冷房機」のみでは対応できない状況になったことを意味している。
【０１７９】
これより、モードＢ１に移行するものとし、圧縮冷凍冷房機（一般冷房機）を運転開始する。モードＢ１は、上述した通り、圧縮機２４は最低回転数一定で運転し、ポンプ２２は所定の回転数一定で運転すると共に、外気ファン２８はＰＩＤ制御する。外気ファン２８の回転数を調整制御することで、「ＳＡ温度≒ＳＡ設定値」を維持できるように制御する。しかし、モードＢ１において、外気ファン２８が最大回転数の状態で「ＳＡ温度＞ＳＡ設定値」となったら、モードＢ１からモードＣへと遷移する。
【０１８０】
すなわち、モードＢ１からモードＣへの遷移に関しては、図１３等に示すように、「温度」判定条件は「ＳＡ温度＞ＳＡ設定値」（ＳＡ温度＞ＳＡ設定値＋α）であり、且つ、「機器」判定条件が「外気ファン回転数上限」である。これは、上記モードＳからモードＢ１への遷移条件と同じであるので、ここではこれ以上は説明しない。
【０１８１】
また、モードＣからモードＢ１への遷移に関しては、図１３等に示すように、「温度」判定条件は「ＳＡ温度＜ＳＡ設定値」（ＳＡ温度＞ＳＡ設定値−β）であり、且つ、「機器」判定条件が「圧縮機回転数下限」である。モードＣで運転中に、外気温度低下等により「ＳＡ温度＜ＳＡ設定値」となったら、圧縮機２４の回転数を減少させることで、「ＳＡ温度≒ＳＡ設定値」を維持するように制御する。しかし、圧縮機２４の回転数を最低にした状態で、「ＳＡ温度＜ＳＡ設定値」となったら、モードＢ１へと移行する。つまり、圧縮機２４の回転数は引き続き最低のままとし、ポンプ２２の回転数は最大一定から所定値一定に変更し、外気ファン２８をＰＩＤ制御する。
【０１８２】
モードＢ１からモードＳへの遷移に関しては、図７等に示すものと同じであるので、ここでは説明を省略する。
図１３等に関して、上記説明したもの以外のモード遷移についても、図７等に示すものと同じであるので、ここでは説明を省略する。
【０１８３】
次に、以下、図１５〜図１８を参照して、実施例３について説明する。
図１５、図１６は、実施例３に係わる各モードとモード遷移を示す図である。また、図１７、図１８は、実施例３に係わるモード遷移表である。
【０１８４】
尚、実施例３の説明は、実施例１とは異なる点について説明するものとし、実施例１と同様な点については説明を省略するか簡略化するものとする。
まず、図１６は、実施例３の各モードの運転内容を示すが、これについては実施例１（図６）と同じであり、ここでは特に説明しない。尚、実施例３ではモードＢ１はないので、図１６にはモードＢ１については示していない点で、図６とは異なる。
【０１８５】
実施例３における各モード間のモード遷移を、図１５に示す。
実施例１（図５）と異なる点は、モードＢ２からモードＳに遷移できる点と、モードＢ１に係わるモード遷移が無い点である。この点以外のモード遷移については、図１５に示す通り、図５と同じであるので、ここでは説明しない。
【０１８６】
図１７、図１８に、実施例３におけるモード遷移表を示す。
尚、これは、１つのモード遷移表を、図１７と図１８の２つに分けて示しているものであり、これより特に区別せずに図１７等と記す場合もあるものとする。
【０１８７】
また、図１７等に関しても、図７等に示す実施例１のモード遷移表と異なる点についてのみ、説明するものとする。すなわち、モードＢ２からモードＳへの遷移条件についてのみ、説明するものとする。
【０１８８】
すなわち、この場合の遷移条件は図１７等に示す通り「雪氷使用時の間接外気冷房最大能力＞冷房能力必要量」であり、この遷移条件を満たす場合にはモードＢ２からモードＳへ遷移する。
【０１８９】
ここで、冷房能力必要量は上記（２）式によって算出する。“雪氷使用時の間接外気冷房最大能力”は、上記（１）式を用いるが、（１）式における上記“外気温度”は、外気温度センサ２９による計測値を用いる。モードＢ２では冷水ポンプ３２を運転しているので、冷水コイル３１によって冷却後の外気ＯＡの温度計測値を、（１）式の“外気温度”として用いることになる。
【０１９０】
尚、上記図５のようなモード遷移に比べて、上記図１１や図１５のようなモード遷移を行う場合には、モード切替時の空調機からの吹き出し温度（ＳＡ温度）の設定値からの逸脱状態が、多少大きくなるという問題が起こり得るが、一方で、制御ソフトは簡素化するというメリットが得られる。
【０１９１】
次に、以下、実施例４について説明する。
実施例４は、上述した「雪氷冷房機が、複数のハイブリッド型空調システムに共通の構成であり、不図示の上位システムが雪氷冷房機（冷水ポンプ３２）を制御する」構成を前提とする。また、ここでは、上記不図示の弁は、設けられていないものとする。つまり、不図示の弁の開閉制御によって各冷水コイル３１の冷水供給の有無を個別に制御することは、行われないものとする。
【０１９２】
以下、図１９〜図２２を参照して、実施例４について説明する。
図１９、図２０は、実施例３に係わる各モード遷移と各モードの制御内容を示す図である。また、図２１、図２２は、実施例４に係わるモード遷移表である。
【０１９３】
尚、実施例４の説明も、実施例１と同様な点については説明を省略するか簡略化するものとする。
まず、図２０は、実施例４の各モードの運転内容を示す。
【０１９４】
ここで、実施例４では、上述したように、雪氷冷房機（冷水ポンプ３２）の制御は不図示の上位システムが実行するので、各ハイブリッド型空調システムの制御装置４０は、冷水ポンプ３２の制御は行わない。これより、図２０に示すように、全てのモードにおいて、制御装置４０による制御対象は、外気ファン２８とポンプ２２と圧縮機２４となる。但し、これらの制御内容自体は、図６と同様であるので、ここでは説明は省略する。
【０１９５】
また、図１９、図２０に示すように、本例ではモードＳが無い。これより、図示のように、モードＡ２からモードＢ２へ遷移し、モードＢ１からはモードＡ２に遷移するように制御する点で、図５等とは異なる。これらの点以外、例えばモードＢ１−モードＢ２間のモード遷移、モードＢ２−モードＣ間のモード遷移、モードＡ１−モードＡ２間のモード遷移などについては、実施例１等と同じであってよく、特に説明しない。
【０１９６】
図２１、図２２に、実施例４におけるモード遷移表を示す。
尚、これは、１つのモード遷移表を、図２１と図２２の２つに分けて示しているものであり、これより特に区別せずに図２２等と記す場合もあるものとする。
【０１９７】
また、図２２等に関しても、図７等に示す実施例１のモード遷移表と異なる点についてのみ、説明するものとする。
これより、まず、上記の通り本例ではモードＳが無いので、モードＡ２−モードＳ間の遷移条件、モードＳからモードＢ２への遷移条件、モードＢ１からモードＳへの遷移条件は、図２２等に示すモード遷移表には存在しない。
【０１９８】
代わりに、上記のことから、図２２等に示すモード遷移表には、モードＡ２からモードＢ２への遷移条件、モードＢ１からモードＡ２への遷移条件が、存在する。これらについて、以下、説明する。
【０１９９】
まず、モードＡ２からモードＢ２への遷移条件は、上記図７等におけるモードＳからモードＢ２への遷移条件と、同様である。つまり、「温度」判定条件は「ＳＡ温度＞ＳＡ設定値」（ＳＡ温度＞ＳＡ設定値＋α）であり、且つ、「機器」判定条件が「外気ファン回転数上限」である。
【０２００】
上記の通り、モードＡ２では、ポンプ２２を最大回転数一定で運転すると共に、外気ファン２８をＰＩＤ制御している。例えば「ＳＡ温度＞ＳＡ設定値」の状態となったら、外気ファン２８の回転数を上げることで、ＳＡ温度がＳＡ設定値を維持するように制御している。しかし、外気ファン２８を最大回転数で運転している状態で「ＳＡ温度＞ＳＡ設定値」となったら、モードＡ２では対応できないことになる。これは、間接外気冷房機の単独運転では対応できない状況になったことを意味している。
【０２０１】
これより、外気ファン２８が最大回転数の状態で「ＳＡ温度＞ＳＡ設定値」となったら、モードＡ２からモードＢ２へと遷移する。これより、圧縮機２４を起動して、これを最低回転数一定で運転する。尚、ここでは、制御装置４０による制御について示しているので、雪氷冷房機については言及しない。雪氷冷房機については上位システムで運転制御しており、この制御内容については後に説明するが、例えばモードＢ２においては雪氷冷房機（冷水ポンプ３２）は運転状態となる。これについては後に説明する。
【０２０２】
また、モードＢ１からモードＡ２への遷移条件は、図２１等に示すように、「間接外気冷房最大能力＞冷房能力必要量」であり、この遷移条件を満たす場合にはモードＢ１からモードＡ２へ遷移する。尚、この場合も、冷房能力必要量は上記（２）式によって算出する。また、“間接外気冷房最大能力”は、上記（１）式を用いるが、（１）式における上記“外気温度”は、外気温度センサ３４による計測値を用いる。上記の通り、外気温度センサ３４は、冷水コイル３１の上流に設置されるセンサであり、冷水コイル３１によって冷却される前の外気ＯＡの温度、すなわち本来の外気ＯＡの温度を、計測するセンサである。
【０２０３】
以上、実施例４の場合における各制御装置４０による制御内容について説明した。
以下、上記不図示の上位システムによる雪氷冷房機（冷水ポンプ３２）の制御内容について説明する。
【０２０４】
まず、各制御装置４０は、それぞれ、自装置の現在のモードを、上位システムに通知する。これは、例えばモード変更する毎に通知する。各制御装置４０毎にモードが相互に異なることも起こり得る。
【０２０５】
上位システムは、各制御装置４０（各ハイブリッド型空調システム）の現在のモードに基づいて、雪氷冷房機（冷水ポンプ３２）のＯＮ／ＯＦＦ等の制御を行う。この制御方法の一例について、特に図示せず、以下に説明するものとする。
【０２０６】
上位システムは、冷水ポンプ３２を停止している状態において、複数のハイブリッド型空調システムの何れか１台がモードＡ２からモードＢ２へ移行したら、冷水ポンプ３２を起動して運転開始する。尚、この運転自体は、図６と同様、一定の能力で運転するものであってよい。
【０２０７】
ここで、上記モードＢ２へ移行したハイブリッド型空調システムは、モードＢ２であるので当然、圧縮機２４を起動して運転開始することになるが、冷水ポンプ３２を運転開始すれば、ハイブリッド型空調システムにとっての見かけ上の外気温度が低下するため、すぐにモードＢ２からモードＢ１に移行し、更にモードＢ１からモードＡ２に移行することになる。モードＡ２に移行することで圧縮機２４は停止されるので、全てのハイブリッド型空調システムの圧縮機２４が停止している状態となる。これより、多少のタイムラグを経て結果的に、全てのハイブリッド型空調システムが「間接外気利用冷房機＋雪氷冷房機」で運転している状態となる。
【０２０８】
その一方で、本例では、上記モードＢ２へ移行したハイブリッド型空調システムが、上述したようにしてモードＡ２に戻っても、上位システムは冷水ポンプ３２の運転を停止しない。上記の通り、最初は、モードＡ２では冷水ポンプ３２は運転停止状態となっており、モードＢ２に遷移することに伴って冷水ポンプ３２を運転開始している。しかし、冷水ポンプ３２を運転している状態でモードＡ２になった場合、元の状態（冷水ポンプ３２を運転停止状態）に戻すのではなく、引き続き冷水ポンプ３２を運転し続ける。
【０２０９】
そして、上位システムは、上記のように冷水ポンプ３２を運転している状態において、全てのハイブリッド型空調システムのモードがモードＡ１になったら、冷水ポンプ３２を停止する。
【０２１０】
なお、図示はしないが、上述した「雪氷冷房機が、複数のハイブリッド型空調システムに共通の構成であり、不図示の上位システムが雪氷冷房機（冷水ポンプ３２）を制御する」構成に係わる変形例を、以下に説明する。
【０２１１】
この変形例では、複数のハイブリッド型空調システム毎に対応して設けられる冷水コイル３１に、それぞれ冷水を供給するライン（冷水管３３に相当）上に電動弁を設ける。そして、上位システムは、冷水ポンプ３２は常時運転させながら、上記各電動弁をＯＮ／ＯＦＦ制御することで、各冷水コイル３１に個別に冷水を供給する。これは、各ハイブリッド型空調システムの現在のモードに応じて、例えば図６の冷水ポンプ３２の制御に準じて、各冷水コイル３１に個別に冷水を供給する。
【０２１２】
図２３に、上記「雪氷冷房機が、複数のハイブリッド型空調システムに共通の構成であり、不図示の上位システムが雪氷冷房機（冷水ポンプ３２）を制御する」構成の一例を示す。
【０２１３】
図示の例では、データセンタに対して、複数のハイブリッド型空調システム（内気ユニット１０＋外気ユニット２０）が、設置されている。そして、図示のように、各ハイブリッド型空調システムにそれぞれ対応する形で複数の冷水コイル３１が設けられている。複数の冷水コイル３１には、冷水ポンプ３２によって冷水管３３を介して、雪山によって生成される冷水が供給される構成となっている。そして、上位システム５０が、例えば上述したように冷水ポンプ３２の起動／停止制御を実行する。
【０２１４】
尚、上位システム５０は、不図示のＣＰＵ／ＭＰＵやメモリ等を有しており、メモリには予め所定のアプリケーションプログラムが記憶されている。ＣＰＵ／ＭＰＵが、このアプリケーションプログラムを実行することで、上述した上位システムの処理等が実行される。
【０２１５】
尚、上述した各実施例は、本発明の一例を示したものであり、この例に限らない。例えば、上述した各実施例では、外気冷房機の一例として間接外気冷房機を例にして説明したが、この例に限らない。外気を利用する外気冷房機としては、間接外気冷房機以外にも例えば直接外気冷房機などが知られている。直接外気冷房機は、よく知られているので、ここでは特に図示・説明はしないが、基本的には、間接外気冷房機が上記の通り外気を建物内に流入させないようにするのに対して、直接外気冷房機では外気を建物内に流入させる。直接外気冷房機においても、その冷房能力は外気の温度によるものであり、外気温度が還気温度よりも高い場合には機能しない点では、間接外気冷房機と略同様である。本発明では、外気冷房機として直接外気冷房機を用いるようにしてもよい。
【符号の説明】
【０２１６】
１０  内気ユニット
１１  顕熱交換器
１２  蒸発器
１３  内気ファン
１４  給気温度センサ
１５  還気温度センサ
２０  外気ユニット
２１  顕熱交換器
２２  ポンプ
２３  冷媒管
２４  圧縮機
２５  凝縮器
２６  膨張弁
２７  冷媒管
２８  外気ファン
２９  外気温度センサ
３１  冷水コイル
３２  冷水ポンプ
３３  冷水管
３４  外気温度センサ
４０  制御装置
４１  モード制御部
４２  モード遷移部
５０  上位システム
【図１】
0006417934.tif 000002
【図２】
0006417934.tif 000003
【図３】
0006417934.tif 000004
【図４】
0006417934.tif 000005
【図５】
0006417934.tif 000006
【図６】
0006417934.tif 000007
【図７】
0006417934.tif 000008
【図８】
0006417934.tif 000009
【図９】
0006417934.tif 000010
【図１０】
0006417934.tif 000011
【図１１】
0006417934.tif 000012
【図１２】
0006417934.tif 000013
【図１３】
0006417934.tif 000014
【図１４】
0006417934.tif 000015
【図１５】
0006417934.tif 000016
【図１６】
0006417934.tif 000017
【図１７】
0006417934.tif 000018
【図１８】
0006417934.tif 000019
【図１９】
0006417934.tif 000020
【図２０】
0006417934.tif 000021
【図２１】
0006417934.tif 000022
【図２２】
0006417934.tif 000023
【図２３】
0006417934.tif 000024